(57)【要約】  本発明のレンズユニットは、第１開口および第２開口と、前記第１開口および前記第２開口に挟まれており、中心軸に沿った内空間とを有する鏡筒と、前記内空間に収納された複数のレンズとを備えたレンズユニットであって、前記複数のレンズうちの各隣接する２つのレンズにおいて、光軸と平行な投影形状は前記第２開口側に位置するレンズの方が前記第１開口側に位置するレンズよりも大きく、前記鏡筒は、前記中心軸と平行であり、前記複数のレンズのそれぞれの投影形状に対応した断面を規定する複数の内側面部を有し、前記複数の内側面部のうちの各隣接する２つの内側面部の断面は、前記第２開口側に位置する内側面の方が前記第１開口側に位置する内側面よりも大きく、前記鏡筒は、前記複数の内側面部のそれぞれに設けられ、前記第１開口から前記第２開口に向かって延びる複数の主溝を有し、前記複数のレンズユニットのそれぞれは、対応する内側面部に設けられた複数の主溝の少なくとも一部充填された接着剤によって前記対応する内側面部に固定されている。
2010116687.tif 000002
【特許請求の範囲】
【請求項１】
第１開口および第２開口と、前記第１開口および前記第２開口に挟まれており、中心軸に沿った内空間とを有する鏡筒と、
前記内空間に収納された複数のレンズと、
を備えたレンズユニットであって、
前記複数のレンズうちの各隣接する２つのレンズにおいて、光軸と平行な投影形状は前記第２開口側に位置するレンズの方が前記第１開口側に位置するレンズよりも大きく、
前記鏡筒は、前記中心軸と平行であり、前記複数のレンズのそれぞれの投影形状に対応した断面を規定する複数の内側面部を有し、前記複数の内側面部のうちの各隣接する２つの内側面部の断面は、前記第２開口側に位置する内側面の方が前記第１開口側に位置する内側面よりも大きく、
前記鏡筒は、前記複数の内側面部のそれぞれに設けられ、前記第１開口から前記第２開口に向かって延びる複数の主溝を有し、
前記複数のレンズユニットのそれぞれは、対応する内側面部に設けられた複数の主溝の少なくとも一部充填された接着剤によって前記対応する内側面部に固定されているレンズユニット。
【請求項２】
前記鏡筒は、前記複数のレンズのうち、最も前記第１開口側に配置されたレンズと当接し、光軸方向の位置決めをする位置決め面を有し、
前記複数のレンズは、互いに隣接するレンズと前記光軸方向に当接し、前記中心軸と平行な方向における位置決めがなされている請求項１に記載のレンズユニット。
【請求項３】
前記鏡筒は、複数の当接部を有し、前記複数の当接部のそれぞれは、前記複数のレンズのうちの対応する１つと当接し、前記対応するレンズの前記中心軸と平行な方向における位置決めをする請求項１に記載のレンズユニット。
【請求項４】
前記鏡筒は外側面を有し、
前記各内側面部に設けられた前記複数の主溝は、前記外側面に貫通していない、請求項２または３に記載のレンズユニット。
【請求項５】
前記各内側面部の前記複数の主溝の前記中心軸に対する方位は、他の内側面部の前記複数の主溝の前記中心軸に対する方位と異なっている請求項２または３に記載のレンズユニット。
【請求項６】
前記各内側面部において、前記複数の主溝は前記中心軸の周りに等方位間隔で配置されている請求項２または３に記載のレンズユニット。
【請求項７】
前記複数の内側面部はそれぞれ同数の前記複数の前記主溝を有し、
各内側面部の前記複数の主溝の前記中心軸に対する方位は、第１開口側から第２開口側にかけて順に、前記中心軸に対して一方向にシフトしている請求項５または６に記載のレンズユニット。
【請求項８】
各内側面に設けられた前記複数の主溝のそれぞれの前記第１開口側の端部は、前記鏡筒の前記中心軸方向において、対応するレンズの２つの突き当て面の間に位置している請求項１から７のいずれかに記載のレンズユニット。
【請求項９】
前記各レンズの側面に隣接し、前記各内側面部に設けられた前記複数の主溝によって形成される空間の容積はいずれも互いにほぼ等しい請求項１から８のいずれかに記載のレンズユニット。
【請求項１０】
前記各内側面部の前記複数の主溝の底部から前記鏡筒の中心軸までの距離はいずれも互いに等しい請求項１から９のいずれかに記載のレンズユニット。
【請求項１１】
前記複数の内側面部は、隣接する２つの主溝を連通させる少なくとも１つの連通溝を備える、請求項１から１０のいずれかに記載のレンズユニット。
【請求項１２】
前記各連通溝は、前記連通溝が接続する２つの主溝の第１開口側の端部よりも第２開口側に位置している請求項１１に記載のレンズユニット。
【請求項１３】
前記各レンズの側面に隣接し、前記各内側面部に設けられた少なくとも１つの主溝によって形成され、前記連通溝よりも第１開口側に形成される空間の容積はいずれも互いにほぼ等しい請求項１２に記載のレンズユニット。
【請求項１４】
請求項１から１３のいずれかに記載のレンズユニットと、
撮像領域を有し、前記レンズユニットによって前記撮像領域形成された像を電気信号に変換する撮像部と、
前記撮像部から前記電子信号を受け取り、前記像の画像データを生成する画像処理部と、
を備えたカメラ装置。
【発明の詳細な説明】
【技術分野】
【０００１】
本発明は、複数の光学レンズを備えたレンズユニットに関し、特に、カメラ装置などに用いられ、組み立て性に優れたレンズユニットに関する。
【背景技術】
【０００２】
技術の進歩により、デジタルスチルカメラ（デジタルカメラとも呼ばれる）が急速に普及し、さらにカメラ付き携帯電話が一般化している。このため、カメラ装置を小型にする技術に対するニーズがますます高まっている。また、カメラ装置には、撮影画像が高画質であることも求められている。【０００３】
一般的に、カメラ装置は、撮影素子の撮像面に像を形成するため、複数のレンズによって構成されたレンズユニットを備えている。カメラ装置の解像度等の性能は、レンズユニットの鏡筒の設計、部品精度およびレンズを組み込む際の組み立て精度等により大きく左右される。このため、レンズユニットを組み立てるにあたっては、レンズの接着方法およびレンズを組み込む際の調整方法に留意する必要がある。【０００４】
特許文献１は、複数のレンズの光軸を調整して相互に接合し、一体構造のレンズブロックを作製する方法を開示している。図２３および図２４を参照しながら、特許文献１に開示された従来のレンズブロックの組み立て方法を説明する。【０００５】
図２３は、固定治具にレンズの挿入手順を示す斜視図であり、図２４は、固定治具に挿入された状態にあるレンズの光軸を含む断面図である。図２３に示すように、固定治具７１０に、第１レンズ８１０、第２レンズ８２０、第３レンズ８３０および第４レンズ８４０を順次組み込まれ、図２４に示すように各レンズが重畳された状態で固定治具７１０に支持される。【０００６】
この状態で、固定治具７１０の外側面から内側面へ貫通する第１貫通穴７１１Ａ、７１１Ｂ、７１１Ｃ、第２貫通穴７１２Ａ、７１２Ｂ、７１２Ｃ、第３貫通穴７１３Ａ、７１３Ｂ、７１３Ｃおよび第４貫通穴７１４Ａ、７１４Ｂ、７１４Ｃから接着剤を注入し、第１レンズ８１０、第２レンズ８２０、第３レンズ８３０および第４レンズ８４０を互いに接着する。これにより４つのレンズが一体となったレンズブロックが完成する。特許文献１によれば、接着の前に各貫通穴に治具棒を挿入し、レンズを移動させることによってレンズの偏芯を調整することができる。組み立てられたレンズブロックは、カメラ装置の鏡筒に固定される。【０００７】
同様に、特許文献２は、鏡筒にレンズを組み込む際、鏡筒の側面に設けた複数の貫通穴に治具棒を挿入し、レンズを移動させることによってレンズの偏芯を調整することのできるレンズユニットを開示している。【０００８】
特許文献３は、側面に突起を有するレンズを用いることによって、偏芯の調整が容易なレンズユニットを開示している。特許文献３によれば、鏡筒には切り欠きが設けられており、突起が切り欠きに挿入されるようにレンズが配置される。レンズの位置を突起により調整し、レンズを鏡筒に固定した後、不要な突起を切断する。
【先行技術文献】
【特許文献】
【０００９】
【特許文献１】特開２００７−９４２４１号公報
【特許文献２】特開２００７―１８７７７６号公報
【特許文献３】特開２００４―８５７０６号公報
【発明の概要】
【発明が解決しようとする課題】
【００１０】
しかし、特許文献１の方法によれば、固定治具で組み立てたレンズブロックを別の鏡筒に移し変える必要があり、鏡筒にレンズブロックを固定する際、レンズブロックと鏡筒との偏芯を再度調整する必要がある。【００１１】
また、特許文献２のレンズユニットによれば、偏芯を調整するための貫通穴から外光が鏡筒内に進入する。このため、レンズユニットの光学特性に悪影響が生じ得る。【００１２】
また、特許文献３のレンズユニットによれば、突起は１つであるため、精度よくレンズの位置を調整することが困難である。また、突起を切断する際、不要な力が加わり、レンズの位置がずれてしまう可能性がある。さらに、突起を切断した部分から鏡筒内に光が進入し、特許文献２と同様、レンズユニットの光学特性に悪影響が生じ得る。【００１３】
また、特許文献１に開示された固定治具を用いて複数のレンズを接着する場合、固定治具に設けられる第１貫通穴７１１Ａ、７１１Ｂ、７１１Ｃ等は、固定治具の外周から中心へ向かって放射状に形成されているため、これらの貫通穴に異なる三方向から接着剤を注入する必要がある。この場合、接着剤の滴下方向が３カ所とも異なるため、接着性がばらつき、複数のレンズを均一に接合することが困難な場合がある。また、接着剤を注入するための注入器を三方向からレンズの中心に向かって配置する必要があるため、注入器を設置する広い場所が必要となり、組み立ての作業場の利用効率が悪くなる。【００１４】
本発明は、このような従来技術の課題を解決し、高い精度でレンズの位置合わせが可能であり、光学特性に優れたレンズユニットを提供することを目的とする。
【課題を解決するための手段】
【００１５】
本発明のレンズユニットは、第１開口および第２開口と、前記第１開口および前記第２開口に挟まれており、中心軸に沿った内空間とを有する鏡筒と、前記内空間に収納された複数のレンズとを備えたレンズユニットであって、前記複数のレンズうちの各隣接する２つのレンズにおいて、光軸と平行な投影形状は前記第２開口側に位置するレンズの方が前記第１開口側に位置するレンズよりも大きく、前記鏡筒は、前記中心軸と平行であり、前記複数のレンズのそれぞれの投影形状に対応した断面を規定する複数の内側面部を有し、前記複数の内側面部のうちの各隣接する２つの内側面部の断面は、前記第２開口側に位置する内側面の方が前記第１開口側に位置する内側面よりも大きく、前記鏡筒は、前記複数の内側面部のそれぞれに設けられ、前記第１開口から前記第２開口に向かって延びる複数の主溝を有し、前記複数のレンズユニットのそれぞれは、対応する内側面部に設けられた複数の主溝の少なくとも一部充填された接着剤によって前記対応する内側面部に固定されている。【００１６】
ある好ましい実施形態において、前記鏡筒は、前記複数のレンズのうち、最も前記第１開口側に配置されたレンズと当接し、光軸方向の位置決めをする位置決め面を有し、前記複数のレンズは、互いに隣接するレンズと前記光軸方向に当接し、前記中心軸と平行な方向における位置決めがなされている。【００１７】
ある好ましい実施形態において、前記鏡筒は、複数の当接部を有し、前記複数の当接部のそれぞれは、前記複数のレンズのうちの対応する１つと当接し、前記対応するレンズの前記中心軸と平行な方向における位置決めをする。【００１８】
ある好ましい実施形態において、前記鏡筒は外側面を有し、前記各内側面部に設けられた前記複数の主溝は、前記外側面に貫通していない。【００１９】
ある好ましい実施形態において、前記各内側面部の前記複数の主溝の前記中心軸に対する方位は、他の内側面部の前記複数の主溝の前記中心軸に対する方位と異なっている。【００２０】
ある好ましい実施形態において、前記各内側面部において、前記複数の主溝は前記中心軸の周りに等方位間隔で配置されている。【００２１】
ある好ましい実施形態において、前記複数の内側面部はそれぞれ同数の前記複数の前記主溝を有し、各内側面部の前記複数の主溝の前記中心軸に対する方位は、第１開口側から第２開口側にかけて順に、前記中心軸に対して一方向にシフトしている。【００２２】
ある好ましい実施形態において、各内側面に設けられた前記複数の主溝のそれぞれの前記第１開口側の端部は、前記鏡筒の前記中心軸方向において、対応するレンズの２つの突き当て面の間に位置している。【００２３】
ある好ましい実施形態において、前記各レンズの側面に隣接し、前記各内側面部に設けられた前記複数の主溝によって形成される空間の容積はいずれも互いにほぼ等しい。【００２４】
ある好ましい実施形態において、前記各内側面部の前記複数の主溝の底部から前記鏡筒の中心軸までの距離はいずれも互いに等しい。【００２５】
ある好ましい実施形態において、前記複数の内側面部は、隣接する２つの主溝を連通させる少なくとも１つの連通溝を備える。【００２６】
ある好ましい実施形態において、前記各連通溝は、前記連通溝が接続する２つの主溝の第１開口側の端部よりも第２開口側に位置している。【００２７】
ある好ましい実施形態において、前記各レンズの側面に隣接し、前記各内側面部に設けられた少なくとも１つの主溝によって形成され、前記連通溝よりも第１開口側に形成される空間の容積はいずれも互いにほぼ等しい。【００２８】
本発明のカメラ装置は、上記いずれかに記載のレンズユニットと、撮像領域を有し、前記レンズユニットによって前記撮像領域形成された像を電気信号に変換する撮像部と、前記撮像部から前記電子信号を受け取り、前記像の画像データを生成する画像処理部とを備える。
【発明の効果】
【００２９】
本発明のレンズユニットによれば、鏡筒に挿入する各レンズを精度よく位置合わせすることが可能であり、また、レンズを鏡筒に接着する際の接着条件を各接着部分で等しくすることができる。このため、各レンズを均一に鏡筒に接合することができる。また、高い精度でレンズの位置合わせが可能であり、光学特性に優れたレンズユニットが実現する。また、鏡筒の外部から鏡筒内へ不要光が進入するのを防止することができる。
【図面の簡単な説明】
【００３０】
【図１】本発明によるレンズユニットの第１の実施形態を示す分解斜視図である。
【図２Ａ】本発明によるレンズユニットの第１の実施形態を示す斜視図である。
【図２Ｂ】本発明によるレンズユニットの第１の実施形態を示す断面図である。
【図３Ａ】第１の実施形態における鏡筒の斜視図である。
【図３Ｂ】第１の実施形態における鏡筒を、図３Ａに示す矢印Ｄ１の方向から見た平面図である。
【図４Ａ】第１の実施形態において、鏡筒に第１レンズを組み込んだ状態を示す斜視図である。
【図４Ｂ】第１の実施形態において、鏡筒に第１レンズを組み込んだ状態を示す断面図である。
【図５Ａ】第１の実施形態において、鏡筒に組み込んだ第１レンズの位置を調整する方法を説明する断面図である。
【図５Ｂ】第１の実施形態において、鏡筒に組み込んだ第１レンズを接着する方法を説明する断面図である。
【図６Ａ】第１の実施形態において、鏡筒に第２レンズを組み込んだ状態を示す斜視図である。
【図６Ｂ】第１の実施形態において、鏡筒に第２レンズを組み込んだ状態を示す断面図である。
【図７】第１の実施形態において、鏡筒に第２レンズを組み込む際、空気が抜ける様子を示す概念的な断面図である。
【図８Ａ】第１の実施形態において、鏡筒に組み込んだ第２レンズの位置を調整する方法を説明する断面図である。
【図８Ｂ】第１の実施形態において、鏡筒に組み込んだ第２レンズを接着する方法を説明する断面図である。
【図９Ａ】第１の実施形態において、鏡筒に第３レンズを組み込んだ状態を示す斜視図である。
【図９Ｂ】第１の実施形態において、鏡筒に第３レンズを組み込んだ状態を示す断面図である。
【図１０】第１の実施形態において、鏡筒に第３レンズを組み込む際、空気が抜ける様子を示す概念的な断面図である。
【図１１Ａ】第１の実施形態において、鏡筒に組み込んだ第３レンズの位置を調整する方法を説明する断面図である。
【図１１Ｂ】第１の実施形態において、鏡筒に組み込んだ第３レンズを接着する方法を説明する断面図である。
【図１２】第１の実施形態において、鏡筒に第４レンズを組み込む際、空気が抜ける様子を示す概念的な断面図である。
【図１３Ａ】第１の実施形態において、鏡筒に組み込んだ第４レンズの位置を調整する方法を説明する断面図である。
【図１３Ｂ】第１の実施形態において、鏡筒に組み込んだ第４レンズを接着する方法を説明する断面図である。
【図１４Ａ】本発明によるレンズユニットの第２の実施形態における鏡筒の斜視図である。
【図１４Ｂ】本発明によるレンズユニットの第２の実施形態における鏡筒の平面図である。
【図１５】第２の実施形態で用いる第１三方調整治具、第２三方調整治具、第３三方調整治具および第４三方調整治具を示す斜視図である。
【図１６】第２の実施形態において、第１三方調整治具、第２三方調整治具、第３三方調整治具および第４三方調整治具を鏡筒に挿入した状態を示す斜視図である。
【図１７】第２の実施形態において、第１三方調整治具、第２三方調整治具、第３三方調整治具および第４三方調整治具を鏡筒に挿入した状態を、図１６のＰＺ１方向から見た平面図である。
【図１８Ａ】第２の実施形態において、第１レンズおよび第３レンズの位置を、第１三方調整治具および第３三方調整治具により調整する状態を示す断面図である。
【図１８Ｂ】第２の実施形態において第２レンズおよび第４レンズの位置を、第２三方調整治具および第４三方調整治具により調整する状態を示す断面図である。
【図１９】第２の実施形態において、第１レンズ、第２レンズ、第３レンズおよび第４レンズを鏡筒に接着する工程を示す斜視図である。
【図２０】本発明によるレンズユニットの第３の実施形態における鏡筒の構造およびレンズを接着する工程を示す斜視図である。
【図２１】本発明によるレンズユニットの第４の実施形態を示す断面図である。
【図２２Ａ】本発明によるカメラ装置の実施形態が搭載された携帯電話を示す斜視図である。
【図２２Ｂ】本発明によるカメラ装置の実施形態が搭載された携帯電話を示す他の斜視図である。
【図２２Ｃ】本発明によるカメラ装置の実施形態を示すブロック図である。
【図２３】従来のレンズブロックを組み立てる手順を示す分解斜視図である。
【図２４】従来のレンズブロックを組み立てる手順において、固定治具にレンズが挿入された状態を示す断面図である。
【発明を実施するための形態】
【００３１】
（第１の実施形態）
以下、図面を参照しながら、本発明によるレンズユニットの第１の実施形態を説明する。本実施形態では、レンズユニットは４つのレンズを備えている。しかし、レンズの数は複数であればよく、２つあるいは３つのレンズを備えるレンズユニットであってもよいし、５つ以上のレンズを備えるレンズユニットであってもよい。また、本発明によるレンズユニットは種々の大きさで実施可能である。例えば、レンズが円形である場合、直径数ｍｍ以上数ｃｍ以下の大きさのレンズを備えたレンズユニットとして実施することが可能である。
【００３２】
図１は、本実施形態のレンズユニット２０１の分解斜視図である。図２Ａは、レンズユニット２０１の斜視図であり、図２Ｂはレンズユニット２０１の断面図である。レンズユニット２０１は、鏡筒１と、第１レンズ２１と、第２レンズ２２と、第３レンズ２３と第４レンズ２４とを備える。図１および図２Ｂに示すように、鏡筒１は第１開口１Ｂおよび第２開口１Ａと、第１開口１Ｂおよび第２開口１Ａに挟まれており、鏡筒１の中心軸１ａに沿って伸びる内空間１Ｃとを有する。内空間１Ｃには、第１開口１Ｂから第２開口１Ａに向かって、第１レンズ２１、第２レンズ２２、第３レンズ２３および第４レンズ２４が収納されている。
【００３３】
これらのレンズのうち、各隣接する２つのレンズにおいて、光軸と平行な投影形状は、第２開口１Ａ側に位置するレンズの方が第１開口１Ｂ側に位置するレンズよりも大きい。ここで投影形状が大きいとは、単に面積大きさを意味しておらず、２つのレンズの投影形状を、光軸が一致するように重ねた場合、大きい方の投影形状が小さい方の投影形状を完全に包含していることを言う。具体的には、第４レンズ２４の投影形状は第３レンズの投影形状よりも大きく、第３レンズ２３の投影形状は第２レンズの投影形状よりも大きい。また、第２レンズ２２の投影形状は第１レンズの投影形状よりも大きい。レンズの投影形状は一般的には円形であるが、楕円や矩形であってもよい。また、隣接するレンズにおいて、投影形状が上述した関係を満たしている限り、すべてのレンズの形状が同じである必要はなく、例えば円形と矩形とが混在していてもよい。
【００３４】
図３Ａは、鏡筒１の斜視図であり、図３Ｂは、鏡筒１を図３Ａに示す矢印Ｄ１、つまり第２開口１Ａ側から見た平面図である。図２Ｂ、図３Ａおよび図３Ｂに示すように、鏡筒１は、内空間１Ｃの中心軸１ａと平行であり、第１レンズ２１、第２レンズ２２、第３レンズ２３および第４レンズ２４のそれぞれの投影形状に対応した断面を規定する第１内側面部１１Ｒ、第２内側面部１２Ｒ、第３内側面部１３Ｒおよび第４内側面部１４Ｒを有する。各内側面部は、中心軸１ａと平行な曲面、あるいは、複数の平面によって構成される。
【００３５】
これらの内側面部のうち、各隣接する２つの内側面部の断面は、第２開口１Ａ側に位置する方が第１開口１Ｂ側に位置する方も大きい。ここで断面が大きいとは、大きい方の断面の形状が小さい方の断面の形状を完全に包含していることを言う。具体的には、第４内側面部１４Ｒが規定する断面は第３内側面部１３Ｒが規定する断面よりも大きい。同様に、第３内側面部１３Ｒが規定する断面は第２内側面部１２Ｒが規定する断面よりも大きい。第２内側面部１２Ｒが規定する断面は第１内側面部１１Ｒが規定する断面よりも大きい。
【００３６】
各内側面部が規定する断面は、対応するレンズの投影形状よりも少し大きい。つまり、各レンズの側面と対応する内側面部との間には、間隙が設けられており、レンズを光軸に垂直な平面内で移動させ位置を調整し得る空隙が設けられている。空隙の大きさは、各レンズの偏芯量を考慮して決定されている。
【００３７】
図２Ｂによく示すように、第１レンズ２１、第２レンズ２２、第３レンズ２３および第４レンズ２４は、それぞれ、第１内側面部１１Ｒ、第２内側面部１２Ｒ、第３内側面部１３Ｒおよび第４内側面部１４Ｒと隣接するように内空間１Ｃに収納されている。
【００３８】
鏡筒１の第１開口１Ｂの周囲には、中心軸１ａと垂直な面によって構成される第１フランジ面１１Ｓが設けられている。第１フランジ面１１Ｓは、第１レンズ２１の突き当て面２１Ｔと当接することにより、中心軸１ａと平行な方向における第１レンズ２１の位置決めがなされている。
【００３９】
また、第１内側面部１１Ｒと第２内側面部１２Ｒとの間、第２内側面部１２Ｒと第３内側面部１３Ｒとの間、第３内側面部１３Ｒと第４内側面部１４Ｒとの間および第４内側面部１４Ｒの第２開口１Ａ側の端部には、中心軸１ａと垂直な面によって構成される第２フランジ面１２Ｓ、第３フランジ面１３Ｓ、第４フランジ面１４Ｓおよび第５フランジ面１５Ｓがそれぞれ設けられている。第２フランジ面１２Ｓは、第１内側面部１１Ｒと第２内側面部１２Ｒとを接続している。同様に、第３フランジ面１３Ｓは、第２内側面部１２Ｒと第３内側面部１３Ｒとを接続し、第４フランジ面１４Ｓは、第３内側面部１３Ｒと第４内側面部１４Ｒとを接続している。これらのフランジ面は分かり易さのため、図３Ａにおいてハッチングを付して示している。
【００４０】
第１レンズ２１、第２レンズ２２、第３レンズ２３および第４レンズ２４は、互いに隣接するレンズと当接した状態で鏡筒１の内空間１Ｃに収納されており、これにより、中心軸１ａと平行な方向における第２レンズ２２、第３レンズ２３および第４レンズ２４の位置決めがなされている。第１位置決め面１１Ｓと突き当て面２１Ｔとの当接、ならびに、第１レンズ２１、第２レンズ２２、第３レンズ２３および第４レンズ２４の当接は、面接触または少なくとも３箇所における点接触など、安定した接触状態を維持できる構成であることが好ましい。
【００４１】
図３Ａおよび図３Ｂによく示すように、鏡筒１は、第１内側面部１１Ｒ、第２内側面部１２Ｒ、第３内側面部１３Ｒおよび第４内側面部１４Ｒのそれぞれに設けられており、第１開口１Ｂから第２開口１Ａに向かって延びる、より好ましくは、中心軸１ａと平行に伸びる複数の主溝を有する。具体的には、第１内側面部１１Ｒには、第１Ａ主溝１１Ａ、第１Ｂ主溝１１Ｂおよび第１Ｃ主溝１１Ｃが設けられている。同様に、第２内側面部１２Ｒには、第２Ａ主溝１２Ａ、第２Ｂ主溝１２Ｂおよび第２Ｃ主溝１２Ｃが設けられている。第３内側面部１３Ｒには、第３Ａ主溝１３Ａ、第３Ｂ主溝１３Ｂおよび第３Ｃ主溝１３Ｃが設けられている。第４内側面部１４Ｒには、第４Ａ主溝１４Ａ、第４Ｂ主溝１４Ｂおよび第４Ｃ主溝１４Ｃが設けられている。
【００４２】
第１内側面部１１Ｒに設けられた第１Ａ主溝１１Ａ、第１Ｂ主溝１１Ｂおよび第１Ｃ主溝１１Ｃは、第２フランジ面１２Ｓに達しており、それぞれ、第２フランジ面１２Ｓを切り欠くことによって、第２フランジ面１２Ｓに開口を有している。第２内側面部１２Ｒに設けられた各主溝も第３フランジ面１３Ｓに達しており、第３フランジ面１２Ｓを切り欠くことによって、第３フランジ面１３Ｓに開口を有している。第３内側面部１３に設けられた各主溝および第４内側面部１４に設けられた各主溝も同様の構造を備える。
【００４３】
本実施形態では各内側面部に３つの主溝が設けられているが、主溝は複数設けられていればよく、２つの主溝あるいは４つ以上の主溝が設けられていてもよい。また、各内側面部に設けられて主溝の数は異なっていてもよい。図３Ａに示すように、これらの主溝は、鏡筒１の外側面に達しておらず、外側面１Ｃと内空間１Ｄとはこれらの主溝によって貫通していない。このため、鏡筒１の外部から内空間１Ｃへ光が進入し、光学特性に悪影響を与えることがない。
【００４４】
これらの主溝は、以下において詳細に説明するように、第１レンズ２１、第２レンズ２２、第３レンズ２３および第４レンズ２４を鏡筒１に接着する前に、各レンズの位置を調整するための調整治具を挿入する空間として用いられる。また、レンズを挿入することにより形成される閉空間の空気を逃がす気道として機能する。また、鏡筒１と各レンズとを接合する接着剤の充填空間を提供する。各内側面部に複数の主溝が設けられることにより、レンズの位置を調整するための調整治具を２方向以上から挿入可能であり、レンズの位置をより精密に調整可能である。また、主溝を接着剤の溜まりとして利用することによって、各レンズを複数箇所において、確実に鏡筒１と接着することができる。
【００４５】
また、各内側面部の溝は、各フランジ面に開口を有している。このため、例えば、鏡筒１中心軸１ａが鉛直方向となるように保持し、各レンズを内空間１Ｃに挿入して組み立てる場合、各溝に注入すべき接着剤の滴下方向は鉛直方向、つまりすべて同一方向になる。このため、各溝に滴下する接着剤の接着条件が等しくなり、接着性が安定する。
【００４６】
図３Ｂによく示すように、各内側面部に設けられた主溝の中心軸１ａを中心とする方位は、他の内側面部に設けられた中心軸１ａを中心とする方位と異なっていることが好ましい。具体的には、中心軸１ａから見た第１内側面部１１Ｒの第１Ａ主溝１１Ａの方向には、第２内側面部１２Ｒ、第３内側面部１３Ｒおよび第４内側面部１４Ｒのいずれの主溝も位置していない。このように、各内側面部の主溝を配置することによって、主溝に充填した接着剤が収縮することによって生じる応力は、鏡筒１において中心軸１ａと垂直な面において分散する。したがって、鏡筒１に歪みが生じるのを抑制することができる。
【００４７】
また、各内側面部においては、複数の主溝は中心軸１ａの周りに等方位間隔で配置されていることが好ましい。例えば、図３Ｂに示すように、各内側面部に設けられる主溝の数が３である場合には、主溝は各内側面部において、１２０度間隔で設けられていることが好ましい。これにより、主溝に充填された接着剤によって、各レンズに働く応力が中心軸１ａに対して均一に分散され、各レンズに歪みが生じるのを抑制することができる。
【００４８】
この場合において、第１Ａ主溝１１Ａ、第２Ａ主溝１２Ａ、第３Ａ主溝１３Ａおよび第４Ａ主溝１４Ａがそれぞれ３０度の間隔で設けられていることがさらに好ましい。これにより、各レンズに生じる応力が均一に分散されるとともに、鏡筒１に生じる応力も均一に分散される。このため、例えば、レンズユニットが大きな温度差の生じ得る環境下で使用される場合でも、温度差により生じる応力が均一に分散され、光学特性が変動しにくくなる。
【００４９】
さらに、図３Ｂに示すように、各レンズの側面に隣接し、各内側面部に設けられた複数の主溝によって形成される空間の容積はいずれも互いにほぼ等しいことが好ましい。これにより、以下において説明するように、各主溝に充填される接着剤の量がほぼ等しくなるため、接着剤が硬化するのに要する時間が各主溝においてほぼ等しくなる。また、充填される接着剤の量が各主溝においてほぼ等しくなるため、接着剤が硬化し、収縮することによって、各主溝に充填された接着剤の、鏡筒１および各レンズへ及ぼす応力が等しくなり、応力がさらに均一に分散される。
【００５０】
また、各内側面部に設けられた主溝のそれぞれの第１開口１Ｂ側の端部は、鏡筒１の中心軸１ａの方向において、対応するレンズの２つの突き当て面の間に位置していることが好ましい。例えば、図２Ｂに示すように、第１内側面部１１Ｒに設けられた第１Ａ主溝１１Ａの第１開口１Ｂ側の端部１１ＥＡは、鏡筒１の中心軸１ａの方向において、第１レンズ２１の２つの主面である突き当て面２１Ｔ、２１Ｓの間に位置している。第１内側面部１１Ｒに設けられた第１Ｂ主溝１１Ｂおよび第１Ｃ主溝１１Ｃも同様の構造を備えていることが好ましい。また、第２内側面部１２Ｒ、第３内側面部１３Ｒおよび第４内側面部１４Ｒの主溝も同様の構造を備えていることが好ましい。このような構造によれば、主溝に充填された接着剤がレンズの突き当て面を介してレンズの有効領域に回りこむことによってレンズユニットの光学特性に悪影響を及ぼすことを抑制することができる。
【００５１】
このように本実施形態のレンズユニットによれば、鏡筒１に挿入する各レンズを精度よく位置合わせすることが可能であり、また、レンズを鏡筒１に接着する際の条件が各接着部分で等しくなる。このため、高い精度でレンズの位置合わせが可能であり、光学特性に優れたレンズユニットが実現する。
【００５２】
次に、レンズユニット２０１の製造方法を説明する。
【００５３】
まず、図４Ａおよび図４Ｂに示すように、鏡筒１の内側面部１１Ｒに第１レンズ２１を沿わせて鏡筒１の奥まで挿入し、第１フランジ面１１Ｓに第１レンズ２１の突き当て面２１Ｔと当接させる。挿入後、第１レンズ２１の外側面と第１内側面１１Ｒとの間には微小な隙間が存在するので、図５Ａに示すように第１調整治具Ｊ１を、第１Ａ主溝１１Ａ、第１Ｂ主溝１１Ｂ、第１Ｃ主溝１１Ｃに挿入し、第１レンズ２１の位置を調整する。この時、例えばオートコリメータ等の測定装置で第１レンズ２１のいずれかのレンズ面からの反射光を参照しながら、鏡筒１との偏芯、つまり鏡筒１の中心軸１ａと第１レンズ２１の光軸２１ａとのずれが最小となるように、第１Ａ主溝１１Ａ、第１Ｂ主溝１１Ｂおよび第１Ｃ主溝１１Ｃに挿入された第１調整治具Ｊ１をそれぞれ独立して矢印ＤＪ１方向にバランスさせて動かす。
【００５４】
第１レンズ２１の位置が定まったら、図５Ｂに示すように、３つの主溝にす矢印ＤＳ１方向に接着剤を注入し、接着剤を硬化させて、第１レンズ２１を鏡筒１に固定する。このとき、接着剤は第１Ａ主溝１１Ａ、第１Ｂ主溝１１Ｂおよび第１Ｃ主溝１１Ｃと第１レンズ２１の外側面とで形成される領域に各々確実に溜まることができる。このため、定められた位置に接着剤を配置し、強固な固定を行うことが可能である。
【００５５】
この時用いる接着剤としては、紫外線硬化型接着剤や熱硬化型接着剤など、条件に即したものを選定することができる。特に紫外線硬化型接着剤を用いると、紫外線を照射するまでは自由に調整可能で、照射した後には確実に硬化するため、接着後に順次レンズを重畳して挿入しながら調整しても調整位置が変化しないよう確実な接着を行うことができる。
【００５６】
また図４Ｂに示すように、第１Ａ主溝１１Ａ、第１Ｂ主溝１１Ｂおよび第１Ｃ主溝１１Ｃの第１開口１Ｂ側の端部１１ＥＡ、１１ＥＢおよび１１ＥＣは、鏡筒１の中心軸１ａの方向において、第１レンズの２つの突き当て面２１Ｔおよび２１Ｓの間に位置している。このため、第１Ａ主溝１１Ａ、第１Ｂ主溝１１Ｂおよび第１Ｃ主溝１１Ｃに充填された接着剤が第１レンズ２１の突き当て面２１Ｔを介してレンズの有効領域に回りこむことが抑制することができる。
【００５７】
同様に図６Ａおよび図６Ｂに示すように、第２レンズ２２を第２内側面部１２Ｒに沿わせて第１レンズ２１と接触するまで鏡筒１の内空間１Ｃに挿入する。このとき、図７に示すように、第２レンズ２２の挿入に伴って第１レンズ２１と第２レンズ２２の間の空気が圧縮される。矢印ＤＡ１２Ｂ方向への空気の流れは第２内側面部１２Ｒ側では制止されるが、矢印ＤＡ１２Ａ方向へは第２Ａ主溝１２Ａ（および第２Ｂ主溝１２Ｂ、第２Ｃ主溝１２Ｃ）より、外部へ抜けることが可能である。したがって、第１レンズ２１と第２レンズ２２との間の空気が第２内側面部１２Ｒによって閉ざされるが、これら３つの主溝が圧縮された空気の気道となって外部へ空気を逃がすことができる。このため、第２レンズ２２を鏡筒１に組み込む際に圧縮の反発力が発生して第２レンズ２２が挿入方向と逆方向に押し戻されることによる、組み立て性の低下を防止することが可能となる。
【００５８】
次に図８Ａに示すように、第２調整治具Ｊ２を、第２Ａ主溝１２Ａ、第２Ｂ主溝１２Ｂ、第２Ｃ主溝１２Ｃにそれぞれ挿入し、第１レンズ２１の場合と同様に位置を調整する。その後、図８Ｂに示すように、３つの主溝にす矢印ＤＳ２方向に接着剤を注入し、接着剤を硬化させて、第２レンズ２２を鏡筒１に固定する。このとき、接着剤は第２Ａ主溝１２Ａ、第２Ｂ主溝１２Ｂおよび第２Ｃ主溝１２Ｃと第２レンズ２２の外側面とで形成される領域に各々確実に溜まることができる。このため、定められた位置に接着剤を配置し、強固な固定を行うことが可能である。
【００５９】
また図６Ｂに示すように、第２Ａ主溝１２Ａ、第２Ｂ主溝１２Ｂおよび第２Ｃ主溝１２Ｃの第１開口１Ｂ側の端部１２ＥＡ、１２ＥＢおよび１２ＥＣは、鏡筒１の中心軸１ａの方向において、第２レンズ２２の２つの突き当て面２２Ｔおよび２２Ｓの間に位置している。このため、第２Ａ主溝１２Ａ、第２Ｂ主溝１２Ｂおよび第２Ｃ主溝１２Ｃに充填された接着剤が第２レンズ２２の突き当て面２２Ｔを介してレンズの有効領域に回りこむことが抑制することができる。
【００６０】
同様に図９Ａおよび図９Ｂに示すように、第３レンズ２３を第３内側面部１３Ｒに沿わせて第２レンズ２２と接触するまで鏡筒１の内空間１Ｃに挿入する。このとき、図１０に示すように、第３レンズ２２の挿入に伴って第２レンズ２２と第３レンズ２３の間の空気が圧縮される。矢印ＤＡ１３Ｂ方向への空気の流れは第３内側面部１３Ｒ側では制止されるが、矢印ＤＡ１３Ａ方向へは第３Ａ主溝１３Ａ（および第３Ｂ主溝１３Ｂ、第３Ｃ主溝１３Ｃ）より、外部へ抜けることが可能である。したがって、第２レンズ２２と第３レンズ２３との間の空気が第３内側面部１３Ｒによって閉ざされるが、これら３つの主溝が圧縮された空気の気道となって外部へ空気を逃がすことができる。このため、第３レンズ２３を鏡筒１に組み込む際に圧縮の反発力が発生して第３レンズ２３が挿入方向と逆方向に押し戻されることによる、組み立て性の低下を防止することが可能となる。
【００６１】
次に図１１Ａに示すように、第３調整治具Ｊ３を、第３Ａ主溝１３Ａ、第３Ｂ主溝１３Ｂ、第３Ｃ主溝１３Ｃにそれぞれ挿入し、第１レンズ２１の場合と同様に位置を調整する。その後、図１１Ｂに示すように、矢印ＤＳ３方向に沿って３つの主溝へ接着剤を注入し、接着剤を硬化させて、第３レンズ２３を鏡筒１に固定する。このとき、接着剤は第３Ａ主溝１３Ａ、第３Ｂ主溝１３Ｂおよび第３Ｃ主溝１３Ｃと第３レンズ２３の外側面とで形成される領域に各々確実に溜まることができる。このため、定められた位置に接着剤を配置し、強固な固定を行うことが可能である。
【００６２】
また図９Ｂに示すように、第３Ａ主溝１３Ａ、第３Ｂ主溝１３Ｂおよび第３Ｃ主溝１３Ｃの第１開口１Ｂ側の端部１３ＥＡ、１３ＥＢおよび１３ＥＣは、鏡筒１の中心軸１ａの方向において、第３レンズ２３の２つの突き当て面２３Ｔおよび２３Ｓの間に位置している。このため、第３Ａ主溝１３Ａ、第３Ｂ主溝１３Ｂおよび第３Ｃ主溝１３Ｃに充填された接着剤が第３レンズ２３の突き当て面２３Ｔを介してレンズの有効領域に回りこむことが抑制することができる。
【００６３】
同様に図２Ａおよび図２Ｂに示すように、第４レンズ２４を第４内側面部１４Ｒに沿わせて第３レンズ２３と接触するまで鏡筒１の内空間１Ｃに挿入する。このとき、図１２に示すように、第４レンズ２４の挿入に伴って第３レンズ２３と第４レンズ２４の間の空気が圧縮される。矢印ＤＡ１４Ｂ方向への空気の流れは第４内側面部１４Ｒ側では制止されるが、矢印ＤＡ１４Ａ方向へは第４Ａ主溝１４Ａ（および第４Ｂ主溝１４Ｂ、第４Ｃ主溝１４Ｃ）より、外部へ抜けることが可能である。したがって、第３レンズ２３と第４レンズ２４との間の空気が第４内側面部１４Ｒによって閉ざされるが、これら３つの主溝が圧縮された空気の気道となって外部へ空気を逃がすことができる。このため、第４レンズ２４を鏡筒１に組み込む際に圧縮の反発力が発生して第４レンズ２４が挿入方向と逆方向に押し戻されることによる、組み立て性の低下を防止することが可能となる。
【００６４】
次に図１３Ａに示すように、第４調整治具Ｊ４を、第４Ａ主溝１４Ａ、第４Ｂ主溝１４Ｂ、第３４主溝１４Ｃにそれぞれ挿入し、第１レンズ２１の場合と同様に位置を調整する。その後、図１３Ｂに示すように、３つの主溝にす矢印ＤＳ４方向に接着剤を注入し、接着剤を硬化させて、第４レンズ２４を鏡筒１に固定する。このとき、接着剤は第４Ａ主溝１４Ａ、第４Ｂ主溝１４Ｂおよび第４Ｃ主溝１４Ｃと第４レンズ２４の外側面とで形成される領域に各々確実に溜まることができる。このため、定められた位置に接着剤を配置し、強固な固定を行うことが可能である。
【００６５】
また図２Ｂに示すように、第４Ａ主溝１４Ａ、第４Ｂ主溝１４Ｂおよび第４Ｃ主溝１４Ｃの第１開口１Ｂ側の端部１４ＥＡ、１４ＥＢおよび１４ＥＣは、鏡筒１の中心軸１ａの方向において、第４レンズ２４の２つの突き当て面２４Ｔおよび２４Ｓの間に位置している。このため、第４Ａ主溝１４Ａ、第４Ｂ主溝１４Ｂおよび第４Ｃ主溝１４Ｃに充填された接着剤が第４レンズ２４の突き当て面２４Ｔに回りこむことが抑制することができる。このようにしてレンズユニット２０１が完成する。
【００６６】
上述したように、レンズユニット２０１において、各主溝は、各々のレンズに対し、等角度間隔で配置されているため、レンズ光軸を中心としてバランスよく接着強度を維持することが可能である。このため、仮に鏡筒１の筒状部分が、接着によりレンズ側に微小に引っ張られた場合においても、全周が均等に変形することができるため、組み立てられたレンズユニットの光学特性が悪化することを低減できる。また、各主溝と各レンズの外側面とで形成される接着剤の溜まる領域の容積がほぼ等しければ、より接着力が均一化される。
【００６７】
また、各主溝は鏡筒１の外側面１Ｄに貫通していなため、鏡筒１に不要光が進入することなく、上述した種々の効果を奏するレンズユニットが実現する。
【００６８】
（第２の実施形態）
以下、本発明によるレンズユニットの第２の実施形態を説明する。図１４Ａは、レンズユニット２０２の鏡筒１０１の斜視図であり、図１４Ｂは鏡筒１０１を第２開口１Ａから見た平面図である。
【００６９】
第１の実施形態では、鏡筒１に設けられた第１Ａ主溝１１Ａ、第１Ｂ主溝１１Ｂ、第１Ｃ主溝１１Ｃと、第２Ａ主溝１２Ａ、第２Ｂ主溝１２Ｂ、第２Ｃ主溝１２Ｃと、第３Ａ主溝１３Ａ、第３Ｂ主溝１３Ｂ、第３Ｃ主溝１３Ｃと、第４Ａ主溝１４Ａ、第４Ｂ主溝１４Ｂ、第４Ｃ主溝１４Ｃとにおいて、主溝の底部から鏡筒１の中心軸１ａまでの距離は互いに異なっていた。これに対し、レンズユニット２０２の鏡筒１０１においては、図１４Ｂに示すように、鏡筒１０１に設けられた第１Ａ主溝１１１Ａ、第１Ｂ主溝１１１Ｂ、第１Ｃ主溝１１１Ｃと、第２Ａ主溝１１２Ａ、第２Ｂ主溝１１２Ｂ、第２Ｃ主溝１１２Ｃと、第３Ａ主溝１１３Ａ、第３Ｂ主溝１１３Ｂ、第３Ｃ主溝１１３Ｃと、第４Ａ主溝１１４Ａ、第４Ｂ主溝１１４Ｂ、第４Ｃ主溝１１４Ｃとにおいて、主溝の底部から鏡筒１０１の中心軸１までの距離は互いに等しい。つまりＲ１１０で示される直径の同心円上にすべての主溝の底部が位置している。また、すべての主溝は、第５フランジ面１５Ｓに達しており、第５フランジ面１５Ｓを切欠くことによって、第５フランジ面１５Ｓに開口を有している。
【００７０】
本実施形態における鏡筒１０１の構成によると、鏡筒１０１に第１レンズ２１、第２レンズ２２、第３レンズ２３および第４レンズ２４をすべて組み込んだ後においても、第１Ａ主溝１１１Ａ、第１Ｂ主溝１１１Ｂ、第１Ｃ主溝１１１Ｃと、第２Ａ主溝１１２Ａ、第２Ｂ主溝１１２Ｂ、第２Ｃ主溝１１２Ｃと第３Ａ主溝１１３Ａ、第３Ｂ主溝１１３Ｂ、第３Ｃ主溝１１３Ｃと、第４Ａ主溝１１４Ａ、第４Ｂ主溝１１４Ｂ、第４Ｃ主溝１１４Ｃとの開口が各レンズに覆わることなく、第５フランジ面１５Ｓに露出している。このため、すべてのレンズを組み込んだ後に、第４レンズ２４により覆い隠されている、第１レンズ２１、第２レンズ２２および第３レンズ２３の位置を調整することが可能となる。
【００７１】
図１５はすべてのレンズが組み込まれた状態にあるレンズユニット２０２と、この状態において、第１レンズ２１の位置を調整するための第１三方調整治具５１、第２レンズ２２を偏芯調整するための第２三方調整治具５２、第３レンズ２３を偏芯調整するための第３三方調整治具５３、第４レンズ２４を偏芯調整するための第４三方調整治具５４を示している。図１５に示すように、第１三方調整治具５１は、第１Ａ爪部５１１Ａ、第１Ｂ爪部５１１Ｂ、第１Ｃ爪部５１１Ｃと、第１Ａ操作部５１２Ａ、第１Ｂ操作部５１２Ｂ、第１Ｃ操作部５１２Ｃとを備える。同様に、第２三方調整治具５２は、第２Ａ爪部５２１Ａ、第２Ｂ爪部５２１Ｂ、第２Ｃ爪部５２１Ｃと、第２Ａ操作部５２２Ａ、第２Ｂ操作部５２２Ｂ、第２Ｃ操作部５２２Ｃとを備える。第３三方調整治具５３は、第３Ａ爪部５３１Ａ、第３Ｂ爪部５３１Ｂ、第３Ｃ爪部５３１Ｃと、第３Ａ操作部５３２Ａ、第３Ｂ操作部５３２Ｂ、第３Ｃ操作部５３２Ｃとを備える。第４三方調整治具５４は、第４Ａ爪部５４１Ａ、第４Ｂ爪部５４１Ｂ、第４Ｃ爪部５４１Ｃと、第４Ａ操作部５４２Ａ、第４Ｂ操作部５４２Ｂ、第４Ｃ操作部５４２Ｃとを備える。なおすべての三方調整治具において、操作部と爪部を連結する部位は、少なくとも偏芯調整を行う際には調整精度に影響を与える変形を生じないものとする。
【００７２】
以下、三方調整治具を用いたレンズユニット２０２の組み立て方法を説明する。
【００７３】
まず、第１レンズ２１、第２レンズ２２、第３レンズ２３および第４レンズ２４を鏡筒１０１の第１内側面部１１Ｒ、第２内側面部１２Ｒ、第３内側面部１３Ｒおよび第４内側面部１４Ｒに沿って鏡筒１０１の内空間１Ｃに挿入する。
【００７４】
続いて、４つの三方調整治具を各主溝に挿入する。これらの４つの三方調整治具は、すべてのレンズが組み込まれた状態におけるレンズユニット２０２に同時に、図１６に示すように組み込まれ得る。図１７は４つの三方調整治具が組み込まれたレンズユニット２０２を図１６における矢印ＰＺ１方向から見た平面図である。また図１８Ａは第１Ａ爪部５１１Ａ（第１Ｂ爪部５１１Ｂ、第１Ｃ爪部５１１Ｃ）および第３Ａ爪部５３１Ａ（第３Ｂ爪部５３１Ｂ、第３Ｃ爪部５３１Ｃ）を通り各レンズの光軸を含む平面における断面を示し、図１８Ｂは第２Ａ爪部５２１Ａ（第２Ｂ爪部５２１Ｂ、第２Ｃ爪部５２１Ｃ）および第４Ａ爪部５４１Ａ（第４Ｂ爪部５４１Ｂ、第４Ｃ爪部５４１Ｃ）を通り各レンズの光軸を含む平面における断面を示している。
【００７５】
この状態で、第１三方調整治具５１、第２三方調整治具５２、第３三方調整治具５３および第４三方調整治具５４の各々に設けられた第１透過穴５１Ａ、第２透過穴５２Ａ、第３透過穴５３Ａおよび第４透過穴５４Ａに測定用の光を通し、第４レンズ２４から第１レンズ２１まで透過させ、透過偏芯測定装置などを使用して各レンズの偏芯状態を参照する。そして組み込んだレンズ全体の偏芯量を低減させるように第１三方調整治具５１、第２三方調整治具５２、第３三方調整治具５３および第４三方調整治具５４に設けられた第１Ａ操作部５１２Ａ、第１Ｂ操作部５１２Ｂ、第１Ｃ操作部５１２Ｃと、第２Ａ操作部５２２Ａ、第２Ｂ操作部５２２Ｂ、第２Ｃ操作部５２２Ｃと、第３Ａ操作部５３２Ａ、第３Ｂ操作部５３２Ｂ、第３Ｃ操作部５３２Ｃと、第４Ａ操作部５４２Ａ、第４Ｂ操作部５４２Ｂ、第４Ｃ操作部５４２Ｃとを、図１７に示す矢印Ｄ５１Ａ方向、矢印Ｄ５１Ｂ方向、矢印Ｄ５１Ｃ方向と、矢印Ｄ５２Ａ方向、矢印Ｄ５２Ｂ方向、矢印Ｄ５２Ｃ方向と、矢印Ｄ５３Ａ方向、矢印Ｄ５３Ｂ方向、矢印Ｄ５３Ｃ方向と、矢印Ｄ５４Ａ方向、矢印Ｄ５４Ｂ方向、矢印Ｄ５４Ｃ方向とに操作して偏芯調整を行う。
【００７６】
偏芯調整を行うにあたっては、光を第４レンズ２４側から透過させるのではなく、逆に第１レンズ２１側から透過させることも可能である。偏芯調整の際には、レンズユニット２０２が動かないように何らかの方法で固定するほうが好ましい。
【００７７】
本実施形態のレンズユニット２０２によれば、各レンズの鏡筒１０１に対する偏芯調整、および各レンズ間同士の偏芯調整を、すべてのレンズを組み込んだ後に、一度に行うことが可能である。
【００７８】
その後、４つの三方調整治具を各主溝から抜き去り、各レンズを鏡筒１０１に接着する。以下、接着剤として紫外線硬化型接着剤を例に挙げてレンズの接着を説明する。
【００７９】
図１９に示すように、鏡筒１０１の中心軸１ａが鉛直方向と平行になるようにレンズユニット２０２を支持する。接着剤の滴下および硬化には、接着剤射出機３０１および紫外線照射器３０２を用いる。本実施形態によれば、すべてのレンズの偏芯調整が完了したレンズユニット２０２においても、すべての主溝が開放された状態にある。
【００８０】
例えば、まず、紫外線硬化型接着剤を接着剤射出機３０１より射出し、第１位置２００Ｆにある開放された主溝に注入し、この主溝に対応するレンズまで接着剤が浸透するのを待つ。浸透するまでの間、レンズユニット２０２を矢印Ｄ２００Ａ方向に回転させ、接着剤が滴下された主溝を第２位置２００Ｓまで回動せる。そしてこの位置で、紫外線照射器３０２を照射させると、紫外線は、開放された主溝の開口から接着剤が溜まっている部位まで達して、これにより接着剤が硬化する。紫外線照射の時間および強度については、使用する接着剤の種類により適宜設定することができる。その後、引き続き、レンズユニット２０２を回転させ、第１位置２００Ｆにおいて、次々と開放された主溝に接着剤を滴下し、第２位置２００Ｓにおいて、紫外線を照射し、接着剤を硬化させる。以上の過程をすべての主溝に対して施すと、接着が完了する。
【００８１】
このように本実施形態によれば、各主溝の第５フランジ面１５Ｓに設けられた開口は、中心軸１ａを中心とする同一円周上にある。このためレンズユニット２０２を中心軸１ａ周りに回動させることによって、接着剤射出機３０１および紫外線照射器３０２を各１台ずつ使用するだけで、すべてのレンズを鏡筒１０１に固定することができる。
【００８２】
また、各々の主溝の相対角度がすべて均等であるので、各レンズに加わる接着力が均等であり、レンズの鏡筒に対する偏芯を抑制することが可能である。さらに応力による歪みが均一化されるため、レンズあるいはレンズユニットの変形による光学特性の悪化を軽減する。また、接着剤の滴下および紫外線照射の際、レンズユニットを回動させる回動角度が等しくなるため、回動制御の簡略化に有効である。
【００８３】
また上記構成であれば、レンズの光軸を基準とした各主溝の半径位置が段階的に異なると、配列角度も段階的に異なるので、接着剤を主溝に注入して各レンズを接着する際に、鏡筒内の接着剤の偏在が回避される。したがって、接着剤による重心ズレを抑制することが可能となる。
【００８４】
この時、各主溝と各レンズの外周とで形成され接着剤の溜まる領域のすべてが同等の容積であれば、接着剤射出機３０１による射出量をすべての主溝で同量にすることができるため、射出量制御の簡略化に有効である。
【００８５】
なお、接着剤射出機３０１の形態は、図１９に示したようなものに限らず、例えば自動ディスペンサのような形態であってもよい。
【００８６】
また、接着剤として熱硬化型接着剤や他の接着剤を用いても、硬化の仕方が異なるだけで、同様にレンズを固定することが可能である。この場合、紫外線照射器３０２は不要である。例えば熱硬化型接着剤を用いる場合であれば、代わりに熱線を照射する照射器のような装置を用いるとことが好ましい。
【００８７】
（第３の実施形態）
以下、本発明によるレンズユニットの第３の実施形態を説明する。
【００８８】
本実施形態におけるレンズユニットは、隣接する主溝が連通している点で第２の実施形態と異なる。
【００８９】
図２０は、本実施形態のレンズユニット２０３の鏡筒１５１を示す斜視図である。図２０に示すように、鏡筒１５１の、第１Ａ主溝１６１Ａと第２Ａ主溝１６２Ａとの間、第２Ａ主溝１６２Ａと第３Ａ主溝１６３Ａとの間、および第３Ａ主溝１６３Ａと第４Ａ主溝１６４Ａとの間には、それぞれを接続する第１連通溝４１２、第２連通溝４２３および第３連通溝４３４が設けられている。これらの連通溝は連通溝が接続する２つの主溝の第１開口１Ｂ側の端部よりも第２開口１Ａ側に位置している。例えば、第１Ａ主溝１６１Ａと第２Ａ主溝１６２Ａとを接続する第１連通溝４１２は、端部１１ＥＡおよび端部１２ＥＡよりも第２開口１Ａ側に位置している。
【００９０】
図２０には示していないが、同様に第１Ｂ主溝１６１Ｂと第２Ｂ主溝１６２Ｂとの間、第２Ｂ主溝１６２Ｂと第３Ｂ主溝１６３Ｂとの間、および第３Ｂ主溝１６３Ｂと第４Ｂ主溝１６４Ｂとの間、第１Ｃ主溝１６１Ｃと第２Ｃ主溝１６２Ｃとの間、第２Ｃ主溝１６２Ｃと第３Ｃ主溝１６３Ｃとの間、および第３Ｃ主溝１６３Ｃと第４Ｃ主溝１６４Ｃとの間にも同様の連通溝が設けられている。
【００９１】
このような鏡筒１５１に、第２の実施形態と同様、第１レンズ２１、第２レンズ２２、第３レンズ２３および第４レンズ２４を組み込んだ後に、第１Ａ主溝１６１Ａ、第１Ｂ主溝１６１Ｂ、第１Ｃ主溝１６１Ｃと、第２Ａ主溝１６２Ａ、第２Ｂ主溝１６２Ｂ、第２Ｃ主溝１６２Ｃと、第３Ａ主溝１６３Ａ、第３Ｂ主溝１６３Ｂ、第３Ｃ主溝１６３Ｃと、第４Ａ主溝１６４Ａ、第４Ｂ主溝１６４Ｂ、第４Ｃ主溝１６４Ｃとに接着剤を充填して各レンズを鏡筒１５１に固定する。
【００９２】
このとき、本実施形態では、各主溝同士の間に連通溝が設けられているので、図２０に示すように接着剤射出機３０１の射出位置を第４Ａ主溝１６４Ａの位置に合わせて注入するだけで、連通溝を通じて順次隣の第３Ａ主溝１６３Ａ、第２Ａ主溝１６２Ａおよび第１Ａ主溝１６１Ａへと流れてゆく。この時、接着剤として紫外線硬化型接着剤を用いれば、第１Ａ主溝１６１Ａまで接着剤が到達した後に紫外線照射器３０５により照射すると、接着剤が硬化する。紫外線照射器３０５は、第１Ａ主溝１６１Ａから第４Ａ主溝１６４まですべてが照射されるものであれば、同時に硬化させることが可能である。紫外線照射の時間および強度については、使用する接着剤の種類により適宜設定することができる。
【００９３】
この後、次の第４Ｂ主溝１６４Ｂまたは第４Ｃ主溝１６４Ｃの位置に順次合わせて接着剤を注入して硬化させてゆき、最終的にすべてのレンズの鏡筒１５１への固定が完了する。
【００９４】
なお、鏡筒１５１に設けられた第１連通溝４１２、第２連通溝４２３、第３連通溝４３４は図２０に示す形態に限られない。
【００９５】
また、接着剤射出機３０１の形態は、図２０に示したようなものに限らず、例えば自動ディスペンサのような形態であってもよい。
【００９６】
また、接着剤として熱硬化型接着剤や他の接着剤を用いても、硬化の仕方が異なるだけで、同様にレンズを固定することが可能である。この場合、紫外線照射器３０２は不要である。例えば熱硬化型接着剤を用いる場合であれば、代わりに熱線を照射する照射器のような装置を用いるとことが好ましい。
【００９７】
このように、本実施形態によれば、各主溝同士の間に連通溝が設けられた鏡筒１５１において、上述したように、各主溝の第１開口１Ｂ側の端部よりも連通溝が第２開口１Ａ側に設けられているため、第１連通溝４１２と第２Ａ主溝１６２Ａ（第２Ｂ主溝１６２Ｂ、第２Ｃ主溝１６２Ｃ）、第２連通溝４２３と第３Ａ主溝１６３Ａ（第３Ｂ主溝１６３Ｂ、第３Ｃ主溝１６３Ｃ）および第３連通溝４３４と第４Ａ主溝１６４Ａ（第４Ｂ主溝１６４Ｂ、第４Ｃ主溝１６４Ｃ）の間に段差が生じる。この段差により、各々の主溝の端部から接着剤が溜まるだけの空間が確保されるため、より確実な接着力を得ることが可能となる。
【００９８】
また、接着剤が溜まる領域の容積をすべて等しくすると、接着力をレンズ全周にわたって均一化することが可能となる。このため、仮に鏡筒１５１の筒状部分が、接着によりレンズ側に微小に引っ張られた場合においても、全周が均等に変形することができるため、組み立てられたレンズユニットの光学特性が悪化することを防止できる。
【００９９】
（第４の実施形態）
以下、本発明によるレンズユニットの第４の実施形態を説明する。
【０１００】
第１の実施形態では、第１レンズ２１と第２レンズ２２、第２レンズ２２と第３レンズ２３および第３レンズ２３と第４レンズ２４が互いに当接することによって、鏡筒の中心軸（各レンズの光軸）方向の位置決めを行う構造を採用していた。これに対し、本実施形態では、各レンズは、鏡筒によって鏡筒の中心軸方向の位置決めを行う構造を採用している。
【０１０１】
図２１は、本実施形態のレンズユニット２０４の断面を示している。図２１に示すように、レンズユニット２０４の鏡筒１６１は、第１内側面部１１Ｒと第２に内側面部１２Ｒとの間に設けられた第２フランジ面１２Ｓ’と、第２内側面部１２Ｒと第３に内側面部１３Ｒとの間に設けられた第３フランジ面１３Ｓ’と、第３内側面部１３Ｒと第４に内側面部１４Ｒとの間に設けられた第４フランジ面１４Ｓ’とを備える。
【０１０２】
第２フランジ面１２Ｓ’は、第２レンズ２２の主面の一部である突き当て面２２Ｔと当接することにより、第２レンズ２２の中心軸１ａ方向における位置決めがなされる。同様に、第３フランジ面１３Ｓ’は、第３レンズ２３の主面の一部である第３突き当て面２３Ｔと当接することにより、第３レンズ２３の中心軸１ａ方向における位置決めがなされる。第４フランジ面１４Ｓ’は、第４レンズ２４の主面の一部である第４突き当て面２４Ｔと当接することにより、第４レンズ２４の中心軸１ａ方向における位置決めがなされる。
【０１０３】
第１の実施形態では、第２フランジ面１２Ｓよりも第１レンズ２１の突き当て面２１Ｓは第２開口１Ａ側に位置していたが、本実施形態では、第１のレンズ２１が鏡筒１６１に収納された状態において、第２フランジ面１２Ｓ’の方が第１レンズ２１の突き当て面２１Ｓよりも第２開口１Ａ側に位置している。このため、第２レンズ２２の第２開口１Ａ側の突き当て面２２Ｔは第２フランジ面１２Ｓ’と当接する。同様に、第３フランジ面１３Ｓ’は、第２レンズ２２の突き当て面２２Ｓよりも第２開口１Ａ側に位置している。第４フランジ面１４Ｓ’は、第３レンズ２３の突き当て面２３Ｓよりも第２開口１Ａ側に位置している。このため第１レンズ２１と第２レンズ２２、第２レンズ２２と第３レンズ２３および第３レンズ２３と第４レンズ２４とは、互いに接触せず間隙が存在する。
【０１０４】
本実施形態では、鏡筒１６１に設けられたフランジ面およびレンズの突き当て面はいずれも平面によって構成されている。しかし、これらのうちの一方を平面で構成し、他方を、３つ以上の箇所で支持可能な突起形状であってもよい。このような構成であっても、各レンズを鏡筒の中心軸１ａ方向における位置決めを行うことができる。
【０１０５】
（第５の実施形態）
本発明によるカメラ装置の実施形態を説明する。
【０１０６】
図２２Ａおよび図２２Ｂは、本実施形態のカメラ装置３１２を備えた携帯電話３１１の面側および裏面側の斜視図である。図２２Ｃはカメラ装置３１２の構成を示す概略的なブロック図である。カメラ装置３１２は、レンズユニット２０１と、撮像部３０１と、画像処理部３０２とメモリ３０３とコントローラ３０４とを備える。
【０１０７】
本実施形態では、カメラ装置３１２は第１の実施形態のレンズユニット２０１を備えている。しかし、第２から第４の実施形態のレンズユニットのいずれを備えていてもよい。
【０１０８】
撮像部は、撮像領域３０１ａを有し、レンズユニット２０１によって撮像領域３０１ａに形成された像を電気信号に変換する。画像処理部３０２は、撮像部３０１から電気信号を受け取り、撮影した像の画像データを生成する。生成した画像データはメモリ３０３に記憶される。カメラ装置３１２が撮影できる映像は、静止画像に限らず、動画像であってもよい。
【０１０９】
コントローラ３０４は、携帯電話３１１の操作ボタン３１３などによって入力されるユーザの指令に基づき、撮像部３０１、画像処理部３０２およびメモリ３０３を制御し、所定の画像処理を行ったり、画像の撮影を行ったり、メモリ３０３に画像データを記録する。
【０１１０】
本実施形態のカメラ装置によれば、光学系レンズユニット２０１として一体化されており、かつ、優れた光学特性を備える。このため、比較的簡単な組立工程によって、カメラ装置３１２を携帯電話３１１に組み込むことができ、かつ、優れた光学特性を有する。また、上述したように、接着による応力が分散しているため、組み立てられたレンズユニット２０１の光学特性が悪化することを抑制されている。このため、種々の使用環境においても、光学特性が変動しにくく、優れたカメラ特性を有する携帯電話が実現する。
【０１１１】
上記第１から第５の実施形態において、レンズを構成する材料は樹脂あるいはガラスのいずれを用いても同等の効果を得ることが可能である。ただし、レンズがガラスであれば鏡筒は金属、レンズが樹脂であれば鏡筒も樹脂であると、両者間の線膨張係数の差を小さくすることができ、温度変化による両者間の変形量の差による歪みを低減する点で好ましい。また、いずれのレンズの光学的有効面の形状は各図面に示した形状に限られない。
【０１１２】
以上、説明したように第１から第５の実施形態のレンズユニットによれば、鏡筒に挿入する各レンズを精度よく位置合わせすることが可能であり、また、レンズを鏡筒に接着する際の条件が各接着部分で等しくすることができる。また、複数のレンズを鏡筒に挿入した後に治具を用い、特にレンズの光軸に直交する方向にレンズの偏芯調整を行うことができる。
【０１１３】
また、主溝は接着剤の溜まりとして利用されるため、所望の位置に接着剤を配置することができる。これにより、レンズを接着剤で鏡筒に対して確実に固定することが可能となる。
【０１１４】
また、主溝への接着剤の注入作業はすべてレンズの光軸に平行な方向から行うことができるため、接着剤の滴下方向が一方向に定められる。これにより接着性が安定し、レンズの鏡筒に対する位置精度の悪化を回避することが可能となる。さらに、接着作業を一方向から行うことにより、作業場がむやみに拡大することを回避できる。
【０１１５】
さらにそれらの構成を、レンズの光軸方向の位置決め手段によらず実現することが可能である。
【０１１６】
また、主溝により鏡筒の円筒内面が外部に露出することがないので、追加部品を設けるなど特別な施策を行うことなく、レンズユニットとして作用する際の正規光路への外部からの不要光の進入を防止し、得られる撮像への悪影響を回避することが可能となる。
【０１１７】
また、主溝がレンズ周の同じ方位に配置されていないため、複数箇所同時に作業を行った際の、接着および偏芯調整の作業性が向上する。
【０１１８】
また、主溝がレンズ周に等角度間隔で配置されているため、接着剤による接着力がレンズの光軸に直交する方向に対して偏って加わることがなく、レンズの鏡筒に対する偏芯を抑制することが可能となる。さらに、レンズおよび鏡筒に対して働く応力がレンズの全周にわたって均等になるため、各々に、偏った歪みが生じることを回避することが可能となる。
【０１１９】
また、レンズの光軸を基準とした各主溝の半径位置が段階的に異なると、配列角度も段階的に異なる。このため、接着剤を主溝に注入して各レンズを接着する際に、鏡筒内の接着剤の偏在が抑制され、重心バランスを適正にすることが可能となる。これにより、例えばレンズユニットを手ぶれ補正などのために動作させる際においても、重心バランスよく動作させることが可能である。
【０１２０】
また、各レンズに対応する主溝は、鏡筒の挿入開口側の主溝の開放部を除いて、各々のレンズの外周面とで構成される空間で閉じているため、主溝に接着剤を注入した際に不用意に接着剤が、接着対象のレンズよりも奥側のレンズの方へ漏洩することを防止することが可能となり、接着対象のレンズ以外に不要な影響を与えることを回避できる。
【０１２１】
また、どの主溝も注入される接着剤の量が一定であるため、接着剤を主溝に注入して各レンズを接着する際に、接着剤射出機による射出量を一定にすることが可能となる。
【０１２２】
また、主溝に接着剤を注入する際に接着剤射出機を、特定の一半径位置に固定設置することが可能となる。
【０１２３】
また、すべてのレンズを鏡筒に組み込んだ状態であっても、偏芯を調整するための治具を各々のレンズに接触する部位まで進入させることができ、鏡筒完成状態で一度に各々のレンズの偏芯調整を行うことが可能となる。
【０１２４】
また、鏡筒の最も挿入開口側の主溝のみに接着剤を注入するだけで奥側の主溝に接着剤が流入するため、接着工数または接着剤射出機の台数を削減することが可能となる。
【０１２５】
また、連通溝と主溝の底面との間に確実に段差が設けられることにより、主溝の領域に確実に接着剤を停留させることが可能となり、接着不良を回避できる。
【０１２６】
また、連通溝と主溝の底面との間に確実に段差が設けられてさらに停留する接着剤の量を一定にすることが可能であるため、接着強度をあらゆる接着箇所で均一にすることが可能となる。これにより、レンズおよび鏡筒に加わる力が均等となるため、部材に偏った歪み等が発生することを回避できる。
【産業上の利用可能性】
【０１２７】
本発明のレンズユニットは、種々の光学系を備えた映像機器に適用可能であり、種々の用途に用いられるデジタルスチルカメラやデジタルビデオカメラのどに好適に用いることができる。
【符号の説明】
【０１２８】
１、１０１、１５１    鏡筒
１Ａ    第２開口
１Ｂ    第１開口
１１Ｒ    第１内側面部
１２Ｒ    第２内側面部
１３Ｒ    第３内側面部
１４Ｒ    第４内側面部
１１Ａ    第１Ａ主溝
１１Ｂ    第１Ｂ主溝
１１Ｃ    第１Ｃ主溝
１２Ａ    第２Ａ主溝
１２Ｂ    第２Ｂ主溝
１２Ｃ    第２Ｃ主溝
１３Ａ    第３Ａ主溝
１３Ｂ    第３Ｂ主溝
１３Ｃ    第３Ｃ主溝
１４Ａ    第４Ａ主溝
１４Ｂ    第４Ｂ主溝
１４Ｃ    第４Ｃ主溝
１１ＥＡ、１１ＥＢ、１１ＥＣ    端部
１２ＥＡ、１２ＥＢ、１２ＥＣ    端部
１３ＥＡ、１３ＥＢ、１３ＥＣ    端部
１４ＥＡ、１４ＥＢ、１４ＥＣ    端部
１１Ｓ、１１Ｓ’    第１フランジ面
１２Ｓ、１２Ｓ’    第２フランジ面
１３Ｓ、１３Ｓ’    第３フランジ面
１４Ｓ、１４Ｓ’    第４フランジ面
２１    第１レンズ
２２    第２レンズ
２３    第３レンズ
２４    第４レンズ
２１Ｓ、２２Ｓ、２３Ｓ、２４Ｓ    突き当て面
２１Ｔ、２２Ｔ、２３Ｔ、２４Ｔ    突き当て面
２０１、２０２、２０３、２０４    レンズユニット
１１１Ａ    第１Ａ主溝
１１１Ｂ    第１Ｂ主溝
１１１Ｃ    第１Ｃ主溝
１１２Ａ    第２Ａ主溝
１１２Ｂ    第２Ｂ主溝
１１２Ｃ    第２Ｃ主溝
１１３Ａ    第３Ａ主溝
１１３Ｂ    第３Ｂ主溝
１１３Ｃ    第３Ｃ主溝
１１４Ａ    第４Ａ主溝
１１４Ｂ    第４Ｂ主溝
１１４Ｃ    第４Ｃ主溝
Ｊ１    第１調整治具
Ｊ２    第２調整治具
Ｊ３    第３調整治具
Ｊ４    第４調整治具
５１    第１三方調整治具
５２    第２三方調整治具
５３    第３三方調整治具
５４    第４三方調整治具
５１Ａ    第１透過穴
５２Ａ    第２透過穴
５３Ａ    第３透過穴
５４Ａ    第４透過穴
５１１Ａ    第１Ａ爪部
５１１Ｂ    第１Ｂ爪部
５１１Ｃ    第１Ｃ爪部
５１２Ａ    第１Ａ操作部
５１２Ｂ    第１Ｂ操作部
５１２Ｃ    第１Ｃ操作部
５２１Ａ    第２Ａ爪部
５２１Ｂ    第２Ｂ爪部
５２１Ｃ    第２Ｃ爪部
５２２Ａ    第２Ａ操作部
５２２Ｂ    第２Ｂ操作部
５２２Ｃ    第２Ｃ操作部
５３１Ａ    第３Ａ爪部
５３１Ｂ    第３Ｂ爪部
５３１Ｃ    第３Ｃ爪部
５３２Ａ    第３Ａ操作部
５３２Ｂ    第３Ｂ操作部
５３２Ｃ    第３Ｃ操作部
５４１Ａ    第４Ａ爪部
５４１Ｂ    第４Ｂ爪部
５４１Ｃ    第４Ｃ爪部
５４２Ａ    第４Ａ操作部
５４２Ｂ    第４Ｂ操作部
５４２Ｃ    第４Ｃ操作部
３０１    接着剤射出機
３０２    紫外線照射器
２００Ｆ    第１位置
２００Ｓ    第２位置
４１２    第１連通溝
４２３    第２連通溝
４３４    第３連通溝
【図１】
2010116687.tif 000003
【図２Ａ】
2010116687.tif 000004
【図２Ｂ】
2010116687.tif 000005
【図３Ａ】
2010116687.tif 000006
【図３Ｂ】
2010116687.tif 000007
【図４Ａ】
2010116687.tif 000008
【図４Ｂ】
2010116687.tif 000009
【図５Ａ】
2010116687.tif 000010
【図５Ｂ】
2010116687.tif 000011
【図６Ａ】
2010116687.tif 000012
【図６Ｂ】
2010116687.tif 000013
【図７】
2010116687.tif 000014
【図８Ａ】
2010116687.tif 000015
【図８Ｂ】
2010116687.tif 000016
【図９Ａ】
2010116687.tif 000017
【図９Ｂ】
2010116687.tif 000018
【図１０】
2010116687.tif 000019
【図１１Ａ】
2010116687.tif 000020
【図１１Ｂ】
2010116687.tif 000021
【図１２】
2010116687.tif 000022
【図１３Ａ】
2010116687.tif 000023
【図１３Ｂ】
2010116687.tif 000024
【図１４Ａ】
2010116687.tif 000025
【図１４Ｂ】
2010116687.tif 000026
【図１５】
2010116687.tif 000027
【図１６】
2010116687.tif 000028
【図１７】
2010116687.tif 000029
【図１８Ａ】
2010116687.tif 000030
【図１８Ｂ】
2010116687.tif 000031
【図１９】
2010116687.tif 000032
【図２０】
2010116687.tif 000033
【図２１】
2010116687.tif 000034
【図２２Ａ】
2010116687.tif 000035
【図２２Ｂ】
2010116687.tif 000036
【図２２Ｃ】
2010116687.tif 000037
【図２３】
2010116687.tif 000038
【図２４】
2010116687.tif 000039
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
第１開口および第２開口と、前記第１開口および前記第２開口に挟まれており、中心軸に沿った内空間とを有する鏡筒と、
前記内空間に収納された複数のレンズと、
を備えたレンズユニットであって、
前記複数のレンズうちの各隣接する２つのレンズにおいて、光軸と平行な投影形状は前記第２開口側に位置するレンズの方が前記第１開口側に位置するレンズよりも大きく、
前記鏡筒は、前記中心軸と平行であり、前記複数のレンズのそれぞれの投影形状に対応した断面を規定する複数の内側面部を有し、前記複数の内側面部のうちの各隣接する２つの内側面部の断面は、前記第２開口側に位置する内側面の方が前記第１開口側に位置する内側面よりも大きく、
前記鏡筒は、前記複数の内側面部のそれぞれに設けられ、前記第１開口から前記第２開口に向かって延びる複数の主溝を有し、
前記複数のレンズユニットのそれぞれは、対応する内側面部に設けられた複数の主溝の少なくとも一部充填された接着剤によって前記対応する内側面部に固定されており、
前記各内側面部の前記複数の主溝の前記中心軸に対する方位は、他の内側面部の前記複数の主溝の前記中心軸に対する方位と異なっているレンズユニット。
【請求項２】
前記鏡筒は、前記複数のレンズのうち、最も前記第１開口側に配置されたレンズと当接し、光軸方向の位置決めをする位置決め面を有し、
前記複数のレンズは、互いに隣接するレンズと前記光軸方向に当接し、前記中心軸と平行な方向における位置決めがなされている請求項１に記載のレンズユニット。
【請求項３】
前記鏡筒は、複数の当接部を有し、前記複数の当接部のそれぞれは、前記複数のレンズのうちの対応する１つと当接し、前記対応するレンズの前記中心軸と平行な方向における位置決めをする請求項１に記載のレンズユニット。
【請求項４】
前記鏡筒は外側面を有し、
前記各内側面部に設けられた前記複数の主溝は、前記外側面に貫通していない、請求項２または３に記載のレンズユニット。
【請求項５】
（削除）
【請求項６】
前記各内側面部において、前記複数の主溝は前記中心軸の周りに等方位間隔で配置されている請求項２または３に記載のレンズユニット。
【請求項７】
前記複数の内側面部はそれぞれ同数の前記複数の前記主溝を有し、
各内側面部の前記複数の主溝の前記中心軸に対する方位は、第１開口側から第２開口側にかけて順に、前記中心軸に対して一方向にシフトしている請求項６に記載のレンズユニット。
【請求項８】
各内側面に設けられた前記複数の主溝のそれぞれの前記第１開口側の端部は、前記鏡筒の前記中心軸方向において、対応するレンズの２つの突き当て面の間に位置している請求項１から４、６および７のいずれかに記載のレンズユニット。
【請求項９】
前記各レンズの側面に隣接し、前記各内側面部に設けられた前記複数の主溝によって形成される空間の容積はいずれも互いにほぼ等しい請求項１から４および６から８のいずれかに記載のレンズユニット。
【請求項１０】
前記各内側面部の前記複数の主溝の底部から前記鏡筒の中心軸までの距離はいずれも互いに等しい請求項１から４および６から９のいずれかに記載のレンズユニット。
【請求項１１】
前記複数の内側面部は、隣接する２つの主溝を連通させる少なくとも１つの連通溝を備える、請求項１から４および６から１０のいずれかに記載のレンズユニット。
【請求項１２】
前記各連通溝は、前記連通溝が接続する２つの主溝の第１開口側の端部よりも第２開口側に位置している請求項１１に記載のレンズユニット。
【請求項１３】
前記各レンズの側面に隣接し、前記各内側面部に設けられた少なくとも１つの主溝によって形成され、前記連通溝よりも第１開口側に形成される空間の容積はいずれも互いにほぼ等しい請求項１２に記載のレンズユニット。
【請求項１４】
請求項１から４および６から１３のいずれかに記載のレンズユニットと、
撮像領域を有し、前記レンズユニットによって前記撮像領域に形成された像を電気信号に変換する撮像部と、
前記撮像部から前記電子信号を受け取り、前記像の画像データを生成する画像処理部と、
を備えたカメラ装置。
【手続補正書】
【提出日】平成22年11月11日(2010.11.11)
【手続補正１】
【補正対象書類名】明細書
【補正対象項目名】全文
【補正方法】変更
【補正の内容】
【発明の詳細な説明】
【技術分野】
【０００１】
本発明は、複数の光学レンズを備えたレンズユニットに関し、特に、カメラ装置などに用いられ、組み立て性に優れたレンズユニットに関する。
【背景技術】
【０００２】
技術の進歩により、デジタルスチルカメラ（デジタルカメラとも呼ばれる）が急速に普及し、さらにカメラ付き携帯電話が一般化している。このため、カメラ装置を小型にする技術に対するニーズがますます高まっている。また、カメラ装置には、撮影画像が高画質であることも求められている。
【０００３】
一般的に、カメラ装置は、撮影素子の撮像面に像を形成するため、複数のレンズによって構成されたレンズユニットを備えている。カメラ装置の解像度等の性能は、レンズユニットの鏡筒の設計、部品精度およびレンズを組み込む際の組み立て精度等により大きく左右される。このため、レンズユニットを組み立てるにあたっては、レンズの接着方法およびレンズを組み込む際の調整方法に留意する必要がある。
【０００４】
特許文献１は、複数のレンズの光軸を調整して相互に接合し、一体構造のレンズブロックを作製する方法を開示している。図２３および図２４を参照しながら、特許文献１に開示された従来のレンズブロックの組み立て方法を説明する。
【０００５】
図２３は、固定治具にレンズの挿入手順を示す斜視図であり、図２４は、固定治具に挿入された状態にあるレンズの光軸を含む断面図である。図２３に示すように、固定治具７１０に、第１レンズ８１０、第２レンズ８２０、第３レンズ８３０および第４レンズ８４０を順次組み込まれ、図２４に示すように各レンズが重畳された状態で固定治具７１０に支持される。
【０００６】
この状態で、固定治具７１０の外側面から内側面へ貫通する第１貫通穴７１１Ａ、７１１Ｂ、７１１Ｃ、第２貫通穴７１２Ａ、７１２Ｂ、７１２Ｃ、第３貫通穴７１３Ａ、７１３Ｂ、７１３Ｃおよび第４貫通穴７１４Ａ、７１４Ｂ、７１４Ｃから接着剤を注入し、第１レンズ８１０、第２レンズ８２０、第３レンズ８３０および第４レンズ８４０を互いに接着する。これにより４つのレンズが一体となったレンズブロックが完成する。特許文献１によれば、接着の前に各貫通穴に治具棒を挿入し、レンズを移動させることによってレンズの偏芯を調整することができる。組み立てられたレンズブロックは、カメラ装置の鏡筒に固定される。
【０００７】
同様に、特許文献２は、鏡筒にレンズを組み込む際、鏡筒の側面に設けた複数の貫通穴に治具棒を挿入し、レンズを移動させることによってレンズの偏芯を調整することのできるレンズユニットを開示している。
【０００８】
特許文献３は、側面に突起を有するレンズを用いることによって、偏芯の調整が容易なレンズユニットを開示している。特許文献３によれば、鏡筒には切り欠きが設けられており、突起が切り欠きに挿入されるようにレンズが配置される。レンズの位置を突起により調整し、レンズを鏡筒に固定した後、不要な突起を切断する。
【先行技術文献】
【特許文献】
【０００９】
【特許文献１】特開２００７−９４２４１号公報
【特許文献２】特開２００７―１８７７７６号公報
【特許文献３】特開２００４―８５７０６号公報
【発明の概要】
【発明が解決しようとする課題】
【００１０】
しかし、特許文献１の方法によれば、固定治具で組み立てたレンズブロックを別の鏡筒に移し変える必要があり、鏡筒にレンズブロックを固定する際、レンズブロックと鏡筒との偏芯を再度調整する必要がある。
【００１１】
また、特許文献２のレンズユニットによれば、偏芯を調整するための貫通穴から外光が鏡筒内に進入する。このため、レンズユニットの光学特性に悪影響が生じ得る。
【００１２】
また、特許文献３のレンズユニットによれば、突起は１つであるため、精度よくレンズの位置を調整することが困難である。また、突起を切断する際、不要な力が加わり、レンズの位置がずれてしまう可能性がある。さらに、突起を切断した部分から鏡筒内に光が進入し、特許文献２と同様、レンズユニットの光学特性に悪影響が生じ得る。
【００１３】
また、特許文献１に開示された固定治具を用いて複数のレンズを接着する場合、固定治具に設けられる第１貫通穴７１１Ａ、７１１Ｂ、７１１Ｃ等は、固定治具の外周から中心へ向かって放射状に形成されているため、これらの貫通穴に異なる三方向から接着剤を注入する必要がある。この場合、接着剤の滴下方向が３カ所とも異なるため、接着性がばらつき、複数のレンズを均一に接合することが困難な場合がある。また、接着剤を注入するための注入器を三方向からレンズの中心に向かって配置する必要があるため、注入器を設置する広い場所が必要となり、組み立ての作業場の利用効率が悪くなる。
【００１４】
本発明は、このような従来技術の課題を解決し、高い精度でレンズの位置合わせが可能であり、光学特性に優れたレンズユニットを提供することを目的とする。
【課題を解決するための手段】
【００１５】
本発明のレンズユニットは、第１開口および第２開口と、前記第１開口および前記第２開口に挟まれており、中心軸に沿った内空間とを有する鏡筒と、前記内空間に収納された複数のレンズとを備えたレンズユニットであって、前記複数のレンズうちの各隣接する２つのレンズにおいて、光軸と平行な投影形状は前記第２開口側に位置するレンズの方が前記第１開口側に位置するレンズよりも大きく、前記鏡筒は、前記中心軸と平行であり、前記複数のレンズのそれぞれの投影形状に対応した断面を規定する複数の内側面部を有し、前記複数の内側面部のうちの各隣接する２つの内側面部の断面は、前記第２開口側に位置する内側面の方が前記第１開口側に位置する内側面よりも大きく、前記鏡筒は、前記複数の内側面部のそれぞれに設けられ、前記第１開口から前記第２開口に向かって延びる複数の主溝を有し、前記複数のレンズユニットのそれぞれは、対応する内側面部に設けられた複数の主溝の少なくとも一部充填された接着剤によって前記対応する内側面部に固定されている。
【００１６】
ある好ましい実施形態において、前記鏡筒は、前記複数のレンズのうち、最も前記第１開口側に配置されたレンズと当接し、光軸方向の位置決めをする位置決め面を有し、前記複数のレンズは、互いに隣接するレンズと前記光軸方向に当接し、前記中心軸と平行な方向における位置決めがなされている。
【００１７】
ある好ましい実施形態において、前記鏡筒は、複数の当接部を有し、前記複数の当接部のそれぞれは、前記複数のレンズのうちの対応する１つと当接し、前記対応するレンズの前記中心軸と平行な方向における位置決めをする。
【００１８】
ある好ましい実施形態において、前記鏡筒は外側面を有し、前記各内側面部に設けられた前記複数の主溝は、前記外側面に貫通していない。
【００１９】
ある好ましい実施形態において、前記各内側面部の前記複数の主溝の前記中心軸に対する方位は、他の内側面部の前記複数の主溝の前記中心軸に対する方位と異なっている。
【００２０】
ある好ましい実施形態において、前記各内側面部において、前記複数の主溝は前記中心軸の周りに等方位間隔で配置されている。
【００２１】
ある好ましい実施形態において、前記複数の内側面部はそれぞれ同数の前記複数の前記主溝を有し、各内側面部の前記複数の主溝の前記中心軸に対する方位は、第１開口側から第２開口側にかけて順に、前記中心軸に対して一方向にシフトしている。
【００２２】
ある好ましい実施形態において、各内側面に設けられた前記複数の主溝のそれぞれの前記第１開口側の端部は、前記鏡筒の前記中心軸方向において、対応するレンズの２つの突き当て面の間に位置している。
【００２３】
ある好ましい実施形態において、前記各レンズの側面に隣接し、前記各内側面部に設けられた前記複数の主溝によって形成される空間の容積はいずれも互いにほぼ等しい。
【００２４】
ある好ましい実施形態において、前記各内側面部の前記複数の主溝の底部から前記鏡筒の中心軸までの距離はいずれも互いに等しい。
【００２５】
ある好ましい実施形態において、前記複数の内側面部は、隣接する２つの主溝を連通させる少なくとも１つの連通溝を備える。
【００２６】
ある好ましい実施形態において、前記各連通溝は、前記連通溝が接続する２つの主溝の第１開口側の端部よりも第２開口側に位置している。
【００２７】
ある好ましい実施形態において、前記各レンズの側面に隣接し、前記各内側面部に設けられた少なくとも１つの主溝によって形成され、前記連通溝よりも第１開口側に形成される空間の容積はいずれも互いにほぼ等しい。
【００２８】
本発明のカメラ装置は、上記いずれかに記載のレンズユニットと、撮像領域を有し、前記レンズユニットによって前記撮像領域形成された像を電気信号に変換する撮像部と、前記撮像部から前記電子信号を受け取り、前記像の画像データを生成する画像処理部とを備える。
【発明の効果】
【００２９】
本発明のレンズユニットによれば、鏡筒に挿入する各レンズを精度よく位置合わせすることが可能であり、また、レンズを鏡筒に接着する際の接着条件を各接着部分で等しくすることができる。このため、各レンズを均一に鏡筒に接合することができる。また、高い精度でレンズの位置合わせが可能であり、光学特性に優れたレンズユニットが実現する。また、鏡筒の外部から鏡筒内へ不要光が進入するのを防止することができる。
【図面の簡単な説明】
【００３０】
【図１】本発明によるレンズユニットの第１の実施形態を示す分解斜視図である。
【図２Ａ】本発明によるレンズユニットの第１の実施形態を示す斜視図である。
【図２Ｂ】本発明によるレンズユニットの第１の実施形態を示す断面図である。
【図３Ａ】第１の実施形態における鏡筒の斜視図である。
【図３Ｂ】第１の実施形態における鏡筒を、図３Ａに示す矢印Ｄ１の方向から見た平面図である。
【図４Ａ】第１の実施形態において、鏡筒に第１レンズを組み込んだ状態を示す斜視図である。
【図４Ｂ】第１の実施形態において、鏡筒に第１レンズを組み込んだ状態を示す断面図である。
【図５Ａ】第１の実施形態において、鏡筒に組み込んだ第１レンズの位置を調整する方法を説明する断面図である。
【図５Ｂ】第１の実施形態において、鏡筒に組み込んだ第１レンズを接着する方法を説明する断面図である。
【図６Ａ】第１の実施形態において、鏡筒に第２レンズを組み込んだ状態を示す斜視図である。
【図６Ｂ】第１の実施形態において、鏡筒に第２レンズを組み込んだ状態を示す断面図である。
【図７】第１の実施形態において、鏡筒に第２レンズを組み込む際、空気が抜ける様子を示す概念的な断面図である。
【図８Ａ】第１の実施形態において、鏡筒に組み込んだ第２レンズの位置を調整する方法を説明する断面図である。
【図８Ｂ】第１の実施形態において、鏡筒に組み込んだ第２レンズを接着する方法を説明する断面図である。
【図９Ａ】第１の実施形態において、鏡筒に第３レンズを組み込んだ状態を示す斜視図である。
【図９Ｂ】第１の実施形態において、鏡筒に第３レンズを組み込んだ状態を示す断面図である。
【図１０】第１の実施形態において、鏡筒に第３レンズを組み込む際、空気が抜ける様子を示す概念的な断面図である。
【図１１Ａ】第１の実施形態において、鏡筒に組み込んだ第３レンズの位置を調整する方法を説明する断面図である。
【図１１Ｂ】第１の実施形態において、鏡筒に組み込んだ第３レンズを接着する方法を説明する断面図である。
【図１２】第１の実施形態において、鏡筒に第４レンズを組み込む際、空気が抜ける様子を示す概念的な断面図である。
【図１３Ａ】第１の実施形態において、鏡筒に組み込んだ第４レンズの位置を調整する方法を説明する断面図である。
【図１３Ｂ】第１の実施形態において、鏡筒に組み込んだ第４レンズを接着する方法を説明する断面図である。
【図１４Ａ】本発明によるレンズユニットの第２の実施形態における鏡筒の斜視図である。
【図１４Ｂ】本発明によるレンズユニットの第２の実施形態における鏡筒の平面図である。
【図１５】第２の実施形態で用いる第１三方調整治具、第２三方調整治具、第３三方調整治具および第４三方調整治具を示す斜視図である。
【図１６】第２の実施形態において、第１三方調整治具、第２三方調整治具、第３三方調整治具および第４三方調整治具を鏡筒に挿入した状態を示す斜視図である。
【図１７】第２の実施形態において、第１三方調整治具、第２三方調整治具、第３三方調整治具および第４三方調整治具を鏡筒に挿入した状態を、図１６のＰＺ１方向から見た平面図である。
【図１８Ａ】第２の実施形態において、第１レンズおよび第３レンズの位置を、第１三方調整治具および第３三方調整治具により調整する状態を示す断面図である。
【図１８Ｂ】第２の実施形態において第２レンズおよび第４レンズの位置を、第２三方調整治具および第４三方調整治具により調整する状態を示す断面図である。
【図１９】第２の実施形態において、第１レンズ、第２レンズ、第３レンズおよび第４レンズを鏡筒に接着する工程を示す斜視図である。
【図２０】本発明によるレンズユニットの第３の実施形態における鏡筒の構造およびレンズを接着する工程を示す斜視図である。
【図２１】本発明によるレンズユニットの第４の実施形態を示す断面図である。
【図２２Ａ】本発明によるカメラ装置の実施形態が搭載された携帯電話を示す斜視図である。
【図２２Ｂ】本発明によるカメラ装置の実施形態が搭載された携帯電話を示す他の斜視図である。
【図２２Ｃ】本発明によるカメラ装置の実施形態を示すブロック図である。
【図２３】従来のレンズブロックを組み立てる手順を示す分解斜視図である。
【図２４】従来のレンズブロックを組み立てる手順において、固定治具にレンズが挿入された状態を示す断面図である。
【発明を実施するための形態】
【００３１】
（第１の実施形態）
以下、図面を参照しながら、本発明によるレンズユニットの第１の実施形態を説明する。本実施形態では、レンズユニットは４つのレンズを備えている。しかし、レンズの数は複数であればよく、２つあるいは３つのレンズを備えるレンズユニットであってもよいし、５つ以上のレンズを備えるレンズユニットであってもよい。また、本発明によるレンズユニットは種々の大きさで実施可能である。例えば、レンズが円形である場合、直径数ｍｍ以上数ｃｍ以下の大きさのレンズを備えたレンズユニットとして実施することが可能である。
【００３２】
図１は、本実施形態のレンズユニット２０１の分解斜視図である。図２Ａは、レンズユニット２０１の斜視図であり、図２Ｂはレンズユニット２０１の断面図である。レンズユニット２０１は、鏡筒１と、第１レンズ２１と、第２レンズ２２と、第３レンズ２３と第４レンズ２４とを備える。図１および図２Ｂに示すように、鏡筒１は第１開口１Ｂおよび第２開口１Ａと、第１開口１Ｂおよび第２開口１Ａに挟まれており、鏡筒１の中心軸１ａに沿って伸びる内空間１Ｃとを有する。内空間１Ｃには、第１開口１Ｂから第２開口１Ａに向かって、第１レンズ２１、第２レンズ２２、第３レンズ２３および第４レンズ２４が収納されている。
【００３３】
これらのレンズのうち、各隣接する２つのレンズにおいて、光軸と平行な投影形状は、第２開口１Ａ側に位置するレンズの方が第１開口１Ｂ側に位置するレンズよりも大きい。ここで投影形状が大きいとは、単に面積大きさを意味しておらず、２つのレンズの投影形状を、光軸が一致するように重ねた場合、大きい方の投影形状が小さい方の投影形状を完全に包含していることを言う。具体的には、第４レンズ２４の投影形状は第３レンズの投影形状よりも大きく、第３レンズ２３の投影形状は第２レンズの投影形状よりも大きい。また、第２レンズ２２の投影形状は第１レンズの投影形状よりも大きい。レンズの投影形状は一般的には円形であるが、楕円や矩形であってもよい。また、隣接するレンズにおいて、投影形状が上述した関係を満たしている限り、すべてのレンズの形状が同じである必要はなく、例えば円形と矩形とが混在していてもよい。
【００３４】
図３Ａは、鏡筒１の斜視図であり、図３Ｂは、鏡筒１を図３Ａに示す矢印Ｄ１、つまり第２開口１Ａ側から見た平面図である。図２Ｂ、図３Ａおよび図３Ｂに示すように、鏡筒１は、内空間１Ｃの中心軸１ａと平行であり、第１レンズ２１、第２レンズ２２、第３レンズ２３および第４レンズ２４のそれぞれの投影形状に対応した断面を規定する第１内側面部１１Ｒ、第２内側面部１２Ｒ、第３内側面部１３Ｒおよび第４内側面部１４Ｒを有する。各内側面部は、中心軸１ａと平行な曲面、あるいは、複数の平面によって構成される。
【００３５】
これらの内側面部のうち、各隣接する２つの内側面部の断面は、第２開口１Ａ側に位置する方が第１開口１Ｂ側に位置する方も大きい。ここで断面が大きいとは、大きい方の断面の形状が小さい方の断面の形状を完全に包含していることを言う。具体的には、第４内側面部１４Ｒが規定する断面は第３内側面部１３Ｒが規定する断面よりも大きい。同様に、第３内側面部１３Ｒが規定する断面は第２内側面部１２Ｒが規定する断面よりも大きい。第２内側面部１２Ｒが規定する断面は第１内側面部１１Ｒが規定する断面よりも大きい。
【００３６】
各内側面部が規定する断面は、対応するレンズの投影形状よりも少し大きい。つまり、各レンズの側面と対応する内側面部との間には、間隙が設けられており、レンズを光軸に垂直な平面内で移動させ位置を調整し得る空隙が設けられている。空隙の大きさは、各レンズの偏芯量を考慮して決定されている。
【００３７】
図２Ｂによく示すように、第１レンズ２１、第２レンズ２２、第３レンズ２３および第４レンズ２４は、それぞれ、第１内側面部１１Ｒ、第２内側面部１２Ｒ、第３内側面部１３Ｒおよび第４内側面部１４Ｒと隣接するように内空間１Ｃに収納されている。
【００３８】
鏡筒１の第１開口１Ｂの周囲には、中心軸１ａと垂直な面によって構成される第１フランジ面１１Ｓが設けられている。第１フランジ面１１Ｓは、第１レンズ２１の突き当て面２１Ｔと当接することにより、中心軸１ａと平行な方向における第１レンズ２１の位置決めがなされている。
【００３９】
また、第１内側面部１１Ｒと第２内側面部１２Ｒとの間、第２内側面部１２Ｒと第３内側面部１３Ｒとの間、第３内側面部１３Ｒと第４内側面部１４Ｒとの間および第４内側面部１４Ｒの第２開口１Ａ側の端部には、中心軸１ａと垂直な面によって構成される第２フランジ面１２Ｓ、第３フランジ面１３Ｓ、第４フランジ面１４Ｓおよび第５フランジ面１５Ｓがそれぞれ設けられている。第２フランジ面１２Ｓは、第１内側面部１１Ｒと第２内側面部１２Ｒとを接続している。同様に、第３フランジ面１３Ｓは、第２内側面部１２Ｒと第３内側面部１３Ｒとを接続し、第４フランジ面１４Ｓは、第３内側面部１３Ｒと第４内側面部１４Ｒとを接続している。これらのフランジ面は分かり易さのため、図３Ａにおいてハッチングを付して示している。
【００４０】
第１レンズ２１、第２レンズ２２、第３レンズ２３および第４レンズ２４は、互いに隣接するレンズと当接した状態で鏡筒１の内空間１Ｃに収納されており、これにより、中心軸１ａと平行な方向における第２レンズ２２、第３レンズ２３および第４レンズ２４の位置決めがなされている。第１位置決め面１１Ｓと突き当て面２１Ｔとの当接、ならびに、第１レンズ２１、第２レンズ２２、第３レンズ２３および第４レンズ２４の当接は、面接触または少なくとも３箇所における点接触など、安定した接触状態を維持できる構成であることが好ましい。
【００４１】
図３Ａおよび図３Ｂによく示すように、鏡筒１は、第１内側面部１１Ｒ、第２内側面部１２Ｒ、第３内側面部１３Ｒおよび第４内側面部１４Ｒのそれぞれに設けられており、第１開口１Ｂから第２開口１Ａに向かって延びる、より好ましくは、中心軸１ａと平行に伸びる複数の主溝を有する。具体的には、第１内側面部１１Ｒには、第１Ａ主溝１１Ａ、第１Ｂ主溝１１Ｂおよび第１Ｃ主溝１１Ｃが設けられている。同様に、第２内側面部１２Ｒには、第２Ａ主溝１２Ａ、第２Ｂ主溝１２Ｂおよび第２Ｃ主溝１２Ｃが設けられている。第３内側面部１３Ｒには、第３Ａ主溝１３Ａ、第３Ｂ主溝１３Ｂおよび第３Ｃ主溝１３Ｃが設けられている。第４内側面部１４Ｒには、第４Ａ主溝１４Ａ、第４Ｂ主溝１４Ｂおよび第４Ｃ主溝１４Ｃが設けられている。
【００４２】
第１内側面部１１Ｒに設けられた第１Ａ主溝１１Ａ、第１Ｂ主溝１１Ｂおよび第１Ｃ主溝１１Ｃは、第２フランジ面１２Ｓに達しており、それぞれ、第２フランジ面１２Ｓを切り欠くことによって、第２フランジ面１２Ｓに開口を有している。第２内側面部１２Ｒに設けられた各主溝も第３フランジ面１３Ｓに達しており、第３フランジ面１２Ｓを切り欠くことによって、第３フランジ面１３Ｓに開口を有している。第３内側面部１３Ｒに設けられた各主溝および第４内側面部１４Ｒに設けられた各主溝も同様の構造を備える。
【００４３】
本実施形態では各内側面部に３つの主溝が設けられているが、主溝は複数設けられていればよく、２つの主溝あるいは４つ以上の主溝が設けられていてもよい。また、各内側面部に設けられて主溝の数は異なっていてもよい。図３Ａに示すように、これらの主溝は、鏡筒１の外側面に達しておらず、外側面１Ｄと内空間１Ｃとはこれらの主溝によって貫通していない。このため、鏡筒１の外部から内空間１Ｃへ光が進入し、光学特性に悪影響を与えることがない。
【００４４】
これらの主溝は、以下において詳細に説明するように、第１レンズ２１、第２レンズ２２、第３レンズ２３および第４レンズ２４を鏡筒１に接着する前に、各レンズの位置を調整するための調整治具を挿入する空間として用いられる。また、レンズを挿入することにより形成される閉空間の空気を逃がす気道として機能する。また、鏡筒１と各レンズとを接合する接着剤の充填空間を提供する。各内側面部に複数の主溝が設けられることにより、レンズの位置を調整するための調整治具を２方向以上から挿入可能であり、レンズの位置をより精密に調整可能である。また、主溝を接着剤の溜まりとして利用することによって、各レンズを複数箇所において、確実に鏡筒１と接着することができる。
【００４５】
また、各内側面部の溝は、各フランジ面に開口を有している。このため、例えば、鏡筒１中心軸１ａが鉛直方向となるように保持し、各レンズを内空間１Ｃに挿入して組み立てる場合、各溝に注入すべき接着剤の滴下方向は鉛直方向、つまりすべて同一方向になる。このため、各溝に滴下する接着剤の接着条件が等しくなり、接着性が安定する。
【００４６】
図３Ｂによく示すように、各内側面部に設けられた主溝の中心軸１ａを中心とする方位は、他の内側面部に設けられた中心軸１ａを中心とする方位と異なっていることが好ましい。具体的には、中心軸１ａから見た第１内側面部１１Ｒの第１Ａ主溝１１Ａの方向には、第２内側面部１２Ｒ、第３内側面部１３Ｒおよび第４内側面部１４Ｒのいずれの主溝も位置していない。このように、各内側面部の主溝を配置することによって、主溝に充填した接着剤が収縮することによって生じる応力は、鏡筒１において中心軸１ａと垂直な面において分散する。したがって、鏡筒１に歪みが生じるのを抑制することができる。
【００４７】
また、各内側面部においては、複数の主溝は中心軸１ａの周りに等方位間隔で配置されていることが好ましい。例えば、図３Ｂに示すように、各内側面部に設けられる主溝の数が３である場合には、主溝は各内側面部において、１２０度間隔で設けられていることが好ましい。これにより、主溝に充填された接着剤によって、各レンズに働く応力が中心軸１ａに対して均一に分散され、各レンズに歪みが生じるのを抑制することができる。
【００４８】
この場合において、第１Ａ主溝１１Ａ、第２Ａ主溝１２Ａ、第３Ａ主溝１３Ａおよび第４Ａ主溝１４Ａがそれぞれ３０度の間隔で設けられていることがさらに好ましい。これにより、各レンズに生じる応力が均一に分散されるとともに、鏡筒１に生じる応力も均一に分散される。このため、例えば、レンズユニットが大きな温度差の生じ得る環境下で使用される場合でも、温度差により生じる応力が均一に分散され、光学特性が変動しにくくなる。
【００４９】
さらに、図３Ｂに示すように、各レンズの側面に隣接し、各内側面部に設けられた複数の主溝によって形成される空間の容積はいずれも互いにほぼ等しいことが好ましい。これにより、以下において説明するように、各主溝に充填される接着剤の量がほぼ等しくなるため、接着剤が硬化するのに要する時間が各主溝においてほぼ等しくなる。また、充填される接着剤の量が各主溝においてほぼ等しくなるため、接着剤が硬化し、収縮することによって、各主溝に充填された接着剤の、鏡筒１および各レンズへ及ぼす応力が等しくなり、応力がさらに均一に分散される。
【００５０】
また、各内側面部に設けられた主溝のそれぞれの第１開口１Ｂ側の端部は、鏡筒１の中心軸１ａの方向において、対応するレンズの２つの突き当て面の間に位置していることが好ましい。例えば、図２Ｂに示すように、第１内側面部１１Ｒに設けられた第１Ａ主溝１１Ａの第１開口１Ｂ側の端部１１ＥＡは、鏡筒１の中心軸１ａの方向において、第１レンズ２１の２つの主面である突き当て面２１Ｔ、２１Ｓの間に位置している。第１内側面部１１Ｒに設けられた第１Ｂ主溝１１Ｂおよび第１Ｃ主溝１１Ｃも同様の構造を備えていることが好ましい。また、第２内側面部１２Ｒ、第３内側面部１３Ｒおよび第４内側面部１４Ｒの主溝も同様の構造を備えていることが好ましい。このような構造によれば、主溝に充填された接着剤がレンズの突き当て面を介してレンズの有効領域に回りこむことによってレンズユニットの光学特性に悪影響を及ぼすことを抑制することができる。
【００５１】
このように本実施形態のレンズユニットによれば、鏡筒１に挿入する各レンズを精度よく位置合わせすることが可能であり、また、レンズを鏡筒１に接着する際の条件が各接着部分で等しくなる。このため、高い精度でレンズの位置合わせが可能であり、光学特性に優れたレンズユニットが実現する。
【００５２】
次に、レンズユニット２０１の製造方法を説明する。
【００５３】
まず、図４Ａおよび図４Ｂに示すように、鏡筒１の内側面部１１Ｒに第１レンズ２１を沿わせて鏡筒１の奥まで挿入し、第１フランジ面１１Ｓに第１レンズ２１の突き当て面２１Ｔと当接させる。挿入後、第１レンズ２１の外側面と第１内側面１１Ｒとの間には微小な隙間が存在するので、図５Ａに示すように第１調整治具Ｊ１を、第１Ａ主溝１１Ａ、第１Ｂ主溝１１Ｂ、第１Ｃ主溝１１Ｃに挿入し、第１レンズ２１の位置を調整する。この時、例えばオートコリメータ等の測定装置で第１レンズ２１のいずれかのレンズ面からの反射光を参照しながら、鏡筒１との偏芯、つまり鏡筒１の中心軸１ａと第１レンズ２１の光軸２１ａとのずれが最小となるように、第１Ａ主溝１１Ａ、第１Ｂ主溝１１Ｂおよび第１Ｃ主溝１１Ｃに挿入された第１調整治具Ｊ１をそれぞれ独立して矢印ＤＪ１方向にバランスさせて動かす。
【００５４】
第１レンズ２１の位置が定まったら、図５Ｂに示すように、３つの主溝にす矢印ＤＳ１方向に接着剤を注入し、接着剤を硬化させて、第１レンズ２１を鏡筒１に固定する。このとき、接着剤は第１Ａ主溝１１Ａ、第１Ｂ主溝１１Ｂおよび第１Ｃ主溝１１Ｃと第１レンズ２１の外側面とで形成される領域に各々確実に溜まることができる。このため、定められた位置に接着剤を配置し、強固な固定を行うことが可能である。
【００５５】
この時用いる接着剤としては、紫外線硬化型接着剤や熱硬化型接着剤など、条件に即したものを選定することができる。特に紫外線硬化型接着剤を用いると、紫外線を照射するまでは自由に調整可能で、照射した後には確実に硬化するため、接着後に順次レンズを重畳して挿入しながら調整しても調整位置が変化しないよう確実な接着を行うことができる。
【００５６】
また図４Ｂに示すように、第１Ａ主溝１１Ａ、第１Ｂ主溝１１Ｂおよび第１Ｃ主溝１１Ｃの第１開口１Ｂ側の端部１１ＥＡ、１１ＥＢおよび１１ＥＣは、鏡筒１の中心軸１ａの方向において、第１レンズの２つの突き当て面２１Ｔおよび２１Ｓの間に位置している。このため、第１Ａ主溝１１Ａ、第１Ｂ主溝１１Ｂおよび第１Ｃ主溝１１Ｃに充填された接着剤が第１レンズ２１の突き当て面２１Ｔを介してレンズの有効領域に回りこむことが抑制することができる。
【００５７】
同様に図６Ａおよび図６Ｂに示すように、第２レンズ２２を第２内側面部１２Ｒに沿わせて第１レンズ２１と接触するまで鏡筒１の内空間１Ｃに挿入する。このとき、図７に示すように、第２レンズ２２の挿入に伴って第１レンズ２１と第２レンズ２２の間の空気が圧縮される。矢印ＤＡ１２Ｂ方向への空気の流れは第２内側面部１２Ｒ側では制止されるが、矢印ＤＡ１２Ａ方向へは第２Ａ主溝１２Ａ（および第２Ｂ主溝１２Ｂ、第２Ｃ主溝１２Ｃ）より、外部へ抜けることが可能である。したがって、第１レンズ２１と第２レンズ２２との間の空気が第２内側面部１２Ｒによって閉ざされるが、これら３つの主溝が圧縮された空気の気道となって外部へ空気を逃がすことができる。このため、第２レンズ２２を鏡筒１に組み込む際に圧縮の反発力が発生して第２レンズ２２が挿入方向と逆方向に押し戻されることによる、組み立て性の低下を防止することが可能となる。
【００５８】
次に図８Ａに示すように、第２調整治具Ｊ２を、第２Ａ主溝１２Ａ、第２Ｂ主溝１２Ｂ、第２Ｃ主溝１２Ｃにそれぞれ挿入し、第１レンズ２１の場合と同様に位置を調整する。その後、図８Ｂに示すように、３つの主溝にす矢印ＤＳ２方向に接着剤を注入し、接着剤を硬化させて、第２レンズ２２を鏡筒１に固定する。このとき、接着剤は第２Ａ主溝１２Ａ、第２Ｂ主溝１２Ｂおよび第２Ｃ主溝１２Ｃと第２レンズ２２の外側面とで形成される領域に各々確実に溜まることができる。このため、定められた位置に接着剤を配置し、強固な固定を行うことが可能である。
【００５９】
また図６Ｂに示すように、第２Ａ主溝１２Ａ、第２Ｂ主溝１２Ｂおよび第２Ｃ主溝１２Ｃの第１開口１Ｂ側の端部１２ＥＡ、１２ＥＢおよび１２ＥＣは、鏡筒１の中心軸１ａの方向において、第２レンズ２２の２つの突き当て面２２Ｔおよび２２Ｓの間に位置している。このため、第２Ａ主溝１２Ａ、第２Ｂ主溝１２Ｂおよび第２Ｃ主溝１２Ｃに充填された接着剤が第２レンズ２２の突き当て面２２Ｔを介してレンズの有効領域に回りこむことが抑制することができる。
【００６０】
同様に図９Ａおよび図９Ｂに示すように、第３レンズ２３を第３内側面部１３Ｒに沿わせて第２レンズ２２と接触するまで鏡筒１の内空間１Ｃに挿入する。このとき、図１０に示すように、第３レンズ２２の挿入に伴って第２レンズ２２と第３レンズ２３の間の空気が圧縮される。矢印ＤＡ１３Ｂ方向への空気の流れは第３内側面部１３Ｒ側では制止されるが、矢印ＤＡ１３Ａ方向へは第３Ａ主溝１３Ａ（および第３Ｂ主溝１３Ｂ、第３Ｃ主溝１３Ｃ）より、外部へ抜けることが可能である。したがって、第２レンズ２２と第３レンズ２３との間の空気が第３内側面部１３Ｒによって閉ざされるが、これら３つの主溝が圧縮された空気の気道となって外部へ空気を逃がすことができる。このため、第３レンズ２３を鏡筒１に組み込む際に圧縮の反発力が発生して第３レンズ２３が挿入方向と逆方向に押し戻されることによる、組み立て性の低下を防止することが可能となる。
【００６１】
次に図１１Ａに示すように、第３調整治具Ｊ３を、第３Ａ主溝１３Ａ、第３Ｂ主溝１３Ｂ、第３Ｃ主溝１３Ｃにそれぞれ挿入し、第１レンズ２１の場合と同様に位置を調整する。その後、図１１Ｂに示すように、矢印ＤＳ３方向に沿って３つの主溝へ接着剤を注入し、接着剤を硬化させて、第３レンズ２３を鏡筒１に固定する。このとき、接着剤は第３Ａ主溝１３Ａ、第３Ｂ主溝１３Ｂおよび第３Ｃ主溝１３Ｃと第３レンズ２３の外側面とで形成される領域に各々確実に溜まることができる。このため、定められた位置に接着剤を配置し、強固な固定を行うことが可能である。
【００６２】
また図９Ｂに示すように、第３Ａ主溝１３Ａ、第３Ｂ主溝１３Ｂおよび第３Ｃ主溝１３Ｃの第１開口１Ｂ側の端部１３ＥＡ、１３ＥＢおよび１３ＥＣは、鏡筒１の中心軸１ａの方向において、第３レンズ２３の２つの突き当て面２３Ｔおよび２３Ｓの間に位置している。このため、第３Ａ主溝１３Ａ、第３Ｂ主溝１３Ｂおよび第３Ｃ主溝１３Ｃに充填された接着剤が第３レンズ２３の突き当て面２３Ｔを介してレンズの有効領域に回りこむことが抑制することができる。
【００６３】
同様に図２Ａおよび図２Ｂに示すように、第４レンズ２４を第４内側面部１４Ｒに沿わせて第３レンズ２３と接触するまで鏡筒１の内空間１Ｃに挿入する。このとき、図１２に示すように、第４レンズ２４の挿入に伴って第３レンズ２３と第４レンズ２４の間の空気が圧縮される。矢印ＤＡ１４Ｂ方向への空気の流れは第４内側面部１４Ｒ側では制止されるが、矢印ＤＡ１４Ａ方向へは第４Ａ主溝１４Ａ（および第４Ｂ主溝１４Ｂ、第４Ｃ主溝１４Ｃ）より、外部へ抜けることが可能である。したがって、第３レンズ２３と第４レンズ２４との間の空気が第４内側面部１４Ｒによって閉ざされるが、これら３つの主溝が圧縮された空気の気道となって外部へ空気を逃がすことができる。このため、第４レンズ２４を鏡筒１に組み込む際に圧縮の反発力が発生して第４レンズ２４が挿入方向と逆方向に押し戻されることによる、組み立て性の低下を防止することが可能となる。
【００６４】
次に図１３Ａに示すように、第４調整治具Ｊ４を、第４Ａ主溝１４Ａ、第４Ｂ主溝１４Ｂ、第４Ｃ主溝１４Ｃにそれぞれ挿入し、第１レンズ２１の場合と同様に位置を調整する。その後、図１３Ｂに示すように、３つの主溝にす矢印ＤＳ４方向に接着剤を注入し、接着剤を硬化させて、第４レンズ２４を鏡筒１に固定する。このとき、接着剤は第４Ａ主溝１４Ａ、第４Ｂ主溝１４Ｂおよび第４Ｃ主溝１４Ｃと第４レンズ２４の外側面とで形成される領域に各々確実に溜まることができる。このため、定められた位置に接着剤を配置し、強固な固定を行うことが可能である。
【００６５】
また図２Ｂに示すように、第４Ａ主溝１４Ａ、第４Ｂ主溝１４Ｂおよび第４Ｃ主溝１４Ｃの第１開口１Ｂ側の端部１４ＥＡ、１４ＥＢおよび１４ＥＣは、鏡筒１の中心軸１ａの方向において、第４レンズ２４の２つの突き当て面２４Ｔおよび２４Ｓの間に位置している。このため、第４Ａ主溝１４Ａ、第４Ｂ主溝１４Ｂおよび第４Ｃ主溝１４Ｃに充填された接着剤が第４レンズ２４の突き当て面２４Ｔに回りこむことが抑制することができる。このようにしてレンズユニット２０１が完成する。
【００６６】
上述したように、レンズユニット２０１において、各主溝は、各々のレンズに対し、等角度間隔で配置されているため、レンズ光軸を中心としてバランスよく接着強度を維持することが可能である。このため、仮に鏡筒１の筒状部分が、接着によりレンズ側に微小に引っ張られた場合においても、全周が均等に変形することができるため、組み立てられたレンズユニットの光学特性が悪化することを低減できる。また、各主溝と各レンズの外側面とで形成される接着剤の溜まる領域の容積がほぼ等しければ、より接着力が均一化される。
【００６７】
また、各主溝は鏡筒１の外側面１Ｄに貫通していなため、鏡筒１に不要光が進入することなく、上述した種々の効果を奏するレンズユニットが実現する。
【００６８】
（第２の実施形態）
以下、本発明によるレンズユニットの第２の実施形態を説明する。図１４Ａは、レンズユニット２０２の鏡筒１０１の斜視図であり、図１４Ｂは鏡筒１０１を第２開口１Ａから見た平面図である。
【００６９】
第１の実施形態では、鏡筒１に設けられた第１Ａ主溝１１Ａ、第１Ｂ主溝１１Ｂ、第１Ｃ主溝１１Ｃと、第２Ａ主溝１２Ａ、第２Ｂ主溝１２Ｂ、第２Ｃ主溝１２Ｃと、第３Ａ主溝１３Ａ、第３Ｂ主溝１３Ｂ、第３Ｃ主溝１３Ｃと、第４Ａ主溝１４Ａ、第４Ｂ主溝１４Ｂ、第４Ｃ主溝１４Ｃとにおいて、主溝の底部から鏡筒１の中心軸１ａまでの距離は互いに異なっていた。これに対し、レンズユニット２０２の鏡筒１０１においては、図１４Ｂに示すように、鏡筒１０１に設けられた第１Ａ主溝１１１Ａ、第１Ｂ主溝１１１Ｂ、第１Ｃ主溝１１１Ｃと、第２Ａ主溝１１２Ａ、第２Ｂ主溝１１２Ｂ、第２Ｃ主溝１１２Ｃと、第３Ａ主溝１１３Ａ、第３Ｂ主溝１１３Ｂ、第３Ｃ主溝１１３Ｃと、第４Ａ主溝１１４Ａ、第４Ｂ主溝１１４Ｂ、第４Ｃ主溝１１４Ｃとにおいて、主溝の底部から鏡筒１０１の中心軸１までの距離は互いに等しい。つまりＲ１１０で示される直径の同心円上にすべての主溝の底部が位置している。また、すべての主溝は、第５フランジ面１５Ｓに達しており、第５フランジ面１５Ｓを切欠くことによって、第５フランジ面１５Ｓに開口を有している。
【００７０】
本実施形態における鏡筒１０１の構成によると、鏡筒１０１に第１レンズ２１、第２レンズ２２、第３レンズ２３および第４レンズ２４をすべて組み込んだ後においても、第１Ａ主溝１１１Ａ、第１Ｂ主溝１１１Ｂ、第１Ｃ主溝１１１Ｃと、第２Ａ主溝１１２Ａ、第２Ｂ主溝１１２Ｂ、第２Ｃ主溝１１２Ｃと第３Ａ主溝１１３Ａ、第３Ｂ主溝１１３Ｂ、第３Ｃ主溝１１３Ｃと、第４Ａ主溝１１４Ａ、第４Ｂ主溝１１４Ｂ、第４Ｃ主溝１１４Ｃとの開口が各レンズに覆わることなく、第５フランジ面１５Ｓに露出している。このため、すべてのレンズを組み込んだ後に、第４レンズ２４により覆い隠されている、第１レンズ２１、第２レンズ２２および第３レンズ２３の位置を調整することが可能となる。
【００７１】
図１５はすべてのレンズが組み込まれた状態にあるレンズユニット２０２と、この状態において、第１レンズ２１の位置を調整するための第１三方調整治具５１、第２レンズ２２を偏芯調整するための第２三方調整治具５２、第３レンズ２３を偏芯調整するための第３三方調整治具５３、第４レンズ２４を偏芯調整するための第４三方調整治具５４を示している。図１５に示すように、第１三方調整治具５１は、第１Ａ爪部５１１Ａ、第１Ｂ爪部５１１Ｂ、第１Ｃ爪部５１１Ｃと、第１Ａ操作部５１２Ａ、第１Ｂ操作部５１２Ｂ、第１Ｃ操作部５１２Ｃとを備える。同様に、第２三方調整治具５２は、第２Ａ爪部５２１Ａ、第２Ｂ爪部５２１Ｂ、第２Ｃ爪部５２１Ｃと、第２Ａ操作部５２２Ａ、第２Ｂ操作部５２２Ｂ、第２Ｃ操作部５２２Ｃとを備える。第３三方調整治具５３は、第３Ａ爪部５３１Ａ、第３Ｂ爪部５３１Ｂ、第３Ｃ爪部５３１Ｃと、第３Ａ操作部５３２Ａ、第３Ｂ操作部５３２Ｂ、第３Ｃ操作部５３２Ｃとを備える。第４三方調整治具５４は、第４Ａ爪部５４１Ａ、第４Ｂ爪部５４１Ｂ、第４Ｃ爪部５４１Ｃと、第４Ａ操作部５４２Ａ、第４Ｂ操作部５４２Ｂ、第４Ｃ操作部５４２Ｃとを備える。なおすべての三方調整治具において、操作部と爪部を連結する部位は、少なくとも偏芯調整を行う際には調整精度に影響を与える変形を生じないものとする。
【００７２】
以下、三方調整治具を用いたレンズユニット２０２の組み立て方法を説明する。
【００７３】
まず、第１レンズ２１、第２レンズ２２、第３レンズ２３および第４レンズ２４を鏡筒１０１の第１内側面部１１Ｒ、第２内側面部１２Ｒ、第３内側面部１３Ｒおよび第４内側面部１４Ｒに沿って鏡筒１０１の内空間１Ｃに挿入する。
【００７４】
続いて、４つの三方調整治具を各主溝に挿入する。これらの４つの三方調整治具は、すべてのレンズが組み込まれた状態におけるレンズユニット２０２に同時に、図１６に示すように組み込まれ得る。図１７は４つの三方調整治具が組み込まれたレンズユニット２０２を図１６における矢印ＰＺ１方向から見た平面図である。また図１８Ａは第１Ａ爪部５１１Ａ（第１Ｂ爪部５１１Ｂ、第１Ｃ爪部５１１Ｃ）および第３Ａ爪部５３１Ａ（第３Ｂ爪部５３１Ｂ、第３Ｃ爪部５３１Ｃ）を通り各レンズの光軸を含む平面における断面を示し、図１８Ｂは第２Ａ爪部５２１Ａ（第２Ｂ爪部５２１Ｂ、第２Ｃ爪部５２１Ｃ）および第４Ａ爪部５４１Ａ（第４Ｂ爪部５４１Ｂ、第４Ｃ爪部５４１Ｃ）を通り各レンズの光軸を含む平面における断面を示している。
【００７５】
この状態で、第１三方調整治具５１、第２三方調整治具５２、第３三方調整治具５３および第４三方調整治具５４の各々に設けられた第１透過穴５１Ａ、第２透過穴５２Ａ、第３透過穴５３Ａおよび第４透過穴５４Ａに測定用の光を通し、第４レンズ２４から第１レンズ２１まで透過させ、透過偏芯測定装置などを使用して各レンズの偏芯状態を参照する。そして組み込んだレンズ全体の偏芯量を低減させるように第１三方調整治具５１、第２三方調整治具５２、第３三方調整治具５３および第４三方調整治具５４に設けられた第１Ａ操作部５１２Ａ、第１Ｂ操作部５１２Ｂ、第１Ｃ操作部５１２Ｃと、第２Ａ操作部５２２Ａ、第２Ｂ操作部５２２Ｂ、第２Ｃ操作部５２２Ｃと、第３Ａ操作部５３２Ａ、第３Ｂ操作部５３２Ｂ、第３Ｃ操作部５３２Ｃと、第４Ａ操作部５４２Ａ、第４Ｂ操作部５４２Ｂ、第４Ｃ操作部５４２Ｃとを、図１７に示す矢印Ｄ５１Ａ方向、矢印Ｄ５１Ｂ方向、矢印Ｄ５１Ｃ方向と、矢印Ｄ５２Ａ方向、矢印Ｄ５２Ｂ方向、矢印Ｄ５２Ｃ方向と、矢印Ｄ５３Ａ方向、矢印Ｄ５３Ｂ方向、矢印Ｄ５３Ｃ方向と、矢印Ｄ５４Ａ方向、矢印Ｄ５４Ｂ方向、矢印Ｄ５４Ｃ方向とに操作して偏芯調整を行う。
【００７６】
偏芯調整を行うにあたっては、光を第４レンズ２４側から透過させるのではなく、逆に第１レンズ２１側から透過させることも可能である。偏芯調整の際には、レンズユニット２０２が動かないように何らかの方法で固定するほうが好ましい。
【００７７】
本実施形態のレンズユニット２０２によれば、各レンズの鏡筒１０１に対する偏芯調整、および各レンズ間同士の偏芯調整を、すべてのレンズを組み込んだ後に、一度に行うことが可能である。
【００７８】
その後、４つの三方調整治具を各主溝から抜き去り、各レンズを鏡筒１０１に接着する。以下、接着剤として紫外線硬化型接着剤を例に挙げてレンズの接着を説明する。
【００７９】
図１９に示すように、鏡筒１０１の中心軸１ａが鉛直方向と平行になるようにレンズユニット２０２を支持する。接着剤の滴下および硬化には、接着剤射出機３０１および紫外線照射器３０２を用いる。本実施形態によれば、すべてのレンズの偏芯調整が完了したレンズユニット２０２においても、すべての主溝が開放された状態にある。
【００８０】
例えば、まず、紫外線硬化型接着剤を接着剤射出機３０１より射出し、第１位置２００Ｆにある開放された主溝に注入し、この主溝に対応するレンズまで接着剤が浸透するのを待つ。浸透するまでの間、レンズユニット２０２を矢印Ｄ２００Ａ方向に回転させ、接着剤が滴下された主溝を第２位置２００Ｓまで回動せる。そしてこの位置で、紫外線照射器３０２を照射させると、紫外線は、開放された主溝の開口から接着剤が溜まっている部位まで達して、これにより接着剤が硬化する。紫外線照射の時間および強度については、使用する接着剤の種類により適宜設定することができる。その後、引き続き、レンズユニット２０２を回転させ、第１位置２００Ｆにおいて、次々と開放された主溝に接着剤を滴下し、第２位置２００Ｓにおいて、紫外線を照射し、接着剤を硬化させる。以上の過程をすべての主溝に対して施すと、接着が完了する。
【００８１】
このように本実施形態によれば、各主溝の第５フランジ面１５Ｓに設けられた開口は、中心軸１ａを中心とする同一円周上にある。このためレンズユニット２０２を中心軸１ａ周りに回動させることによって、接着剤射出機３０１および紫外線照射器３０２を各１台ずつ使用するだけで、すべてのレンズを鏡筒１０１に固定することができる。
【００８２】
また、各々の主溝の相対角度がすべて均等であるので、各レンズに加わる接着力が均等であり、レンズの鏡筒に対する偏芯を抑制することが可能である。さらに応力による歪みが均一化されるため、レンズあるいはレンズユニットの変形による光学特性の悪化を軽減する。また、接着剤の滴下および紫外線照射の際、レンズユニットを回動させる回動角度が等しくなるため、回動制御の簡略化に有効である。
【００８３】
また上記構成であれば、レンズの光軸を基準とした各主溝の半径位置が段階的に異なると、配列角度も段階的に異なるので、接着剤を主溝に注入して各レンズを接着する際に、鏡筒内の接着剤の偏在が回避される。したがって、接着剤による重心ズレを抑制することが可能となる。
【００８４】
この時、各主溝と各レンズの外周とで形成され接着剤の溜まる領域のすべてが同等の容積であれば、接着剤射出機３０１による射出量をすべての主溝で同量にすることができるため、射出量制御の簡略化に有効である。
【００８５】
なお、接着剤射出機３０１の形態は、図１９に示したようなものに限らず、例えば自動ディスペンサのような形態であってもよい。
【００８６】
また、接着剤として熱硬化型接着剤や他の接着剤を用いても、硬化の仕方が異なるだけで、同様にレンズを固定することが可能である。この場合、紫外線照射器３０２は不要である。例えば熱硬化型接着剤を用いる場合であれば、代わりに熱線を照射する照射器のような装置を用いるとことが好ましい。
【００８７】
（第３の実施形態）
以下、本発明によるレンズユニットの第３の実施形態を説明する。
【００８８】
本実施形態におけるレンズユニットは、隣接する主溝が連通している点で第２の実施形態と異なる。
【００８９】
図２０は、本実施形態のレンズユニット２０３の鏡筒１５１を示す斜視図である。図２０に示すように、鏡筒１５１の、第１Ａ主溝１６１Ａと第２Ａ主溝１６２Ａとの間、第２Ａ主溝１６２Ａと第３Ａ主溝１６３Ａとの間、および第３Ａ主溝１６３Ａと第４Ａ主溝１６４Ａとの間には、それぞれを接続する第１連通溝４１２、第２連通溝４２３および第３連通溝４３４が設けられている。これらの連通溝は連通溝が接続する２つの主溝の第１開口１Ｂ側の端部よりも第２開口１Ａ側に位置している。例えば、第１Ａ主溝１６１Ａと第２Ａ主溝１６２Ａとを接続する第１連通溝４１２は、端部１１ＥＡおよび端部１２ＥＡよりも第２開口１Ａ側に位置している。
【００９０】
図２０には示していないが、同様に第１Ｂ主溝１６１Ｂと第２Ｂ主溝１６２Ｂとの間、第２Ｂ主溝１６２Ｂと第３Ｂ主溝１６３Ｂとの間、および第３Ｂ主溝１６３Ｂと第４Ｂ主溝１６４Ｂとの間、第１Ｃ主溝１６１Ｃと第２Ｃ主溝１６２Ｃとの間、第２Ｃ主溝１６２Ｃと第３Ｃ主溝１６３Ｃとの間、および第３Ｃ主溝１６３Ｃと第４Ｃ主溝１６４Ｃとの間にも同様の連通溝が設けられている。
【００９１】
このような鏡筒１５１に、第２の実施形態と同様、第１レンズ２１、第２レンズ２２、第３レンズ２３および第４レンズ２４を組み込んだ後に、第１Ａ主溝１６１Ａ、第１Ｂ主溝１６１Ｂ、第１Ｃ主溝１６１Ｃと、第２Ａ主溝１６２Ａ、第２Ｂ主溝１６２Ｂ、第２Ｃ主溝１６２Ｃと、第３Ａ主溝１６３Ａ、第３Ｂ主溝１６３Ｂ、第３Ｃ主溝１６３Ｃと、第４Ａ主溝１６４Ａ、第４Ｂ主溝１６４Ｂ、第４Ｃ主溝１６４Ｃとに接着剤を充填して各レンズを鏡筒１５１に固定する。
【００９２】
このとき、本実施形態では、各主溝同士の間に連通溝が設けられているので、図２０に示すように接着剤射出機３０１の射出位置を第４Ａ主溝１６４Ａの位置に合わせて注入するだけで、連通溝を通じて順次隣の第３Ａ主溝１６３Ａ、第２Ａ主溝１６２Ａおよび第１Ａ主溝１６１Ａへと流れてゆく。この時、接着剤として紫外線硬化型接着剤を用いれば、第１Ａ主溝１６１Ａまで接着剤が到達した後に紫外線照射器３０５により照射すると、接着剤が硬化する。紫外線照射器３０５は、第１Ａ主溝１６１Ａから第４Ａ主溝１６４Ａまですべてが照射されるものであれば、同時に硬化させることが可能である。紫外線照射の時間および強度については、使用する接着剤の種類により適宜設定することができる。
【００９３】
この後、次の第４Ｂ主溝１６４Ｂまたは第４Ｃ主溝１６４Ｃの位置に順次合わせて接着剤を注入して硬化させてゆき、最終的にすべてのレンズの鏡筒１５１への固定が完了する。
【００９４】
なお、鏡筒１５１に設けられた第１連通溝４１２、第２連通溝４２３、第３連通溝４３４は図２０に示す形態に限られない。
【００９５】
また、接着剤射出機３０１の形態は、図２０に示したようなものに限らず、例えば自動ディスペンサのような形態であってもよい。
【００９６】
また、接着剤として熱硬化型接着剤や他の接着剤を用いても、硬化の仕方が異なるだけで、同様にレンズを固定することが可能である。この場合、紫外線照射器３０２は不要である。例えば熱硬化型接着剤を用いる場合であれば、代わりに熱線を照射する照射器のような装置を用いるとことが好ましい。
【００９７】
このように、本実施形態によれば、各主溝同士の間に連通溝が設けられた鏡筒１５１において、上述したように、各主溝の第１開口１Ｂ側の端部よりも連通溝が第２開口１Ａ側に設けられているため、第１連通溝４１２と第２Ａ主溝１６２Ａ（第２Ｂ主溝１６２Ｂ、第２Ｃ主溝１６２Ｃ）、第２連通溝４２３と第３Ａ主溝１６３Ａ（第３Ｂ主溝１６３Ｂ、第３Ｃ主溝１６３Ｃ）および第３連通溝４３４と第４Ａ主溝１６４Ａ（第４Ｂ主溝１６４Ｂ、第４Ｃ主溝１６４Ｃ）の間に段差が生じる。この段差により、各々の主溝の端部から接着剤が溜まるだけの空間が確保されるため、より確実な接着力を得ることが可能となる。
【００９８】
また、接着剤が溜まる領域の容積をすべて等しくすると、接着力をレンズ全周にわたって均一化することが可能となる。このため、仮に鏡筒１５１の筒状部分が、接着によりレンズ側に微小に引っ張られた場合においても、全周が均等に変形することができるため、組み立てられたレンズユニットの光学特性が悪化することを防止できる。
【００９９】
（第４の実施形態）
以下、本発明によるレンズユニットの第４の実施形態を説明する。
【０１００】
第１の実施形態では、第１レンズ２１と第２レンズ２２、第２レンズ２２と第３レンズ２３および第３レンズ２３と第４レンズ２４が互いに当接することによって、鏡筒の中心軸（各レンズの光軸）方向の位置決めを行う構造を採用していた。これに対し、本実施形態では、各レンズは、鏡筒によって鏡筒の中心軸方向の位置決めを行う構造を採用している。
【０１０１】
図２１は、本実施形態のレンズユニット２０４の断面を示している。図２１に示すように、レンズユニット２０４の鏡筒１６１は、第１内側面部１１Ｒと第２に内側面部１２Ｒとの間に設けられた第２フランジ面１２Ｓ’と、第２内側面部１２Ｒと第３に内側面部１３Ｒとの間に設けられた第３フランジ面１３Ｓ’と、第３内側面部１３Ｒと第４に内側面部１４Ｒとの間に設けられた第４フランジ面１４Ｓ’とを備える。
【０１０２】
第２フランジ面１２Ｓ’は、第２レンズ２２の主面の一部である突き当て面２２Ｔと当接することにより、第２レンズ２２の中心軸１ａ方向における位置決めがなされる。同様に、第３フランジ面１３Ｓ’は、第３レンズ２３の主面の一部である第３突き当て面２３Ｔと当接することにより、第３レンズ２３の中心軸１ａ方向における位置決めがなされる。第４フランジ面１４Ｓ’は、第４レンズ２４の主面の一部である第４突き当て面２４Ｔと当接することにより、第４レンズ２４の中心軸１ａ方向における位置決めがなされる。
【０１０３】
第１の実施形態では、第２フランジ面１２Ｓよりも第１レンズ２１の突き当て面２１Ｓは第２開口１Ａ側に位置していたが、本実施形態では、第１のレンズ２１が鏡筒１６１に収納された状態において、第２フランジ面１２Ｓ’の方が第１レンズ２１の突き当て面２１Ｓよりも第２開口１Ａ側に位置している。このため、第２レンズ２２の第２開口１Ａ側の突き当て面２２Ｔは第２フランジ面１２Ｓ’と当接する。同様に、第３フランジ面１３Ｓ’は、第２レンズ２２の突き当て面２２Ｓよりも第２開口１Ａ側に位置している。第４フランジ面１４Ｓ’は、第３レンズ２３の突き当て面２３Ｓよりも第２開口１Ａ側に位置している。このため第１レンズ２１と第２レンズ２２、第２レンズ２２と第３レンズ２３および第３レンズ２３と第４レンズ２４とは、互いに接触せず間隙が存在する。
【０１０４】
本実施形態では、鏡筒１６１に設けられたフランジ面およびレンズの突き当て面はいずれも平面によって構成されている。しかし、これらのうちの一方を平面で構成し、他方を、３つ以上の箇所で支持可能な突起形状であってもよい。このような構成であっても、各レンズを鏡筒の中心軸１ａ方向における位置決めを行うことができる。
【０１０５】
（第５の実施形態）
本発明によるカメラ装置の実施形態を説明する。
【０１０６】
図２２Ａおよび図２２Ｂは、本実施形態のカメラ装置３１２を備えた携帯電話３１１の面側および裏面側の斜視図である。図２２Ｃはカメラ装置３１２の構成を示す概略的なブロック図である。カメラ装置３１２は、レンズユニット２０１と、撮像部３０１と、画像処理部３０２とメモリ３０３とコントローラ３０４とを備える。
【０１０７】
本実施形態では、カメラ装置３１２は第１の実施形態のレンズユニット２０１を備えている。しかし、第２から第４の実施形態のレンズユニットのいずれを備えていてもよい。
【０１０８】
撮像部は、撮像領域３０１ａを有し、レンズユニット２０１によって撮像領域３０１ａに形成された像を電気信号に変換する。画像処理部３０２は、撮像部３０１から電気信号を受け取り、撮影した像の画像データを生成する。生成した画像データはメモリ３０３に記憶される。カメラ装置３１２が撮影できる映像は、静止画像に限らず、動画像であってもよい。
【０１０９】
コントローラ３０４は、携帯電話３１１の操作ボタン３１３などによって入力されるユーザの指令に基づき、撮像部３０１、画像処理部３０２およびメモリ３０３を制御し、所定の画像処理を行ったり、画像の撮影を行ったり、メモリ３０３に画像データを記録する。
【０１１０】
本実施形態のカメラ装置によれば、光学系レンズユニット２０１として一体化されており、かつ、優れた光学特性を備える。このため、比較的簡単な組立工程によって、カメラ装置３１２を携帯電話３１１に組み込むことができ、かつ、優れた光学特性を有する。また、上述したように、接着による応力が分散しているため、組み立てられたレンズユニット２０１の光学特性が悪化することを抑制されている。このため、種々の使用環境においても、光学特性が変動しにくく、優れたカメラ特性を有する携帯電話が実現する。
【０１１１】
上記第１から第５の実施形態において、レンズを構成する材料は樹脂あるいはガラスのいずれを用いても同等の効果を得ることが可能である。ただし、レンズがガラスであれば鏡筒は金属、レンズが樹脂であれば鏡筒も樹脂であると、両者間の線膨張係数の差を小さくすることができ、温度変化による両者間の変形量の差による歪みを低減する点で好ましい。また、いずれのレンズの光学的有効面の形状は各図面に示した形状に限られない。
【０１１２】
以上、説明したように第１から第５の実施形態のレンズユニットによれば、鏡筒に挿入する各レンズを精度よく位置合わせすることが可能であり、また、レンズを鏡筒に接着する際の条件が各接着部分で等しくすることができる。また、複数のレンズを鏡筒に挿入した後に治具を用い、特にレンズの光軸に直交する方向にレンズの偏芯調整を行うことができる。
【０１１３】
また、主溝は接着剤の溜まりとして利用されるため、所望の位置に接着剤を配置することができる。これにより、レンズを接着剤で鏡筒に対して確実に固定することが可能となる。
【０１１４】
また、主溝への接着剤の注入作業はすべてレンズの光軸に平行な方向から行うことができるため、接着剤の滴下方向が一方向に定められる。これにより接着性が安定し、レンズの鏡筒に対する位置精度の悪化を回避することが可能となる。さらに、接着作業を一方向から行うことにより、作業場がむやみに拡大することを回避できる。
【０１１５】
さらにそれらの構成を、レンズの光軸方向の位置決め手段によらず実現することが可能である。
【０１１６】
また、主溝により鏡筒の円筒内面が外部に露出することがないので、追加部品を設けるなど特別な施策を行うことなく、レンズユニットとして作用する際の正規光路への外部からの不要光の進入を防止し、得られる撮像への悪影響を回避することが可能となる。
【０１１７】
また、主溝がレンズ周の同じ方位に配置されていないため、複数箇所同時に作業を行った際の、接着および偏芯調整の作業性が向上する。
【０１１８】
また、主溝がレンズ周に等角度間隔で配置されているため、接着剤による接着力がレンズの光軸に直交する方向に対して偏って加わることがなく、レンズの鏡筒に対する偏芯を抑制することが可能となる。さらに、レンズおよび鏡筒に対して働く応力がレンズの全周にわたって均等になるため、各々に、偏った歪みが生じることを回避することが可能となる。
【０１１９】
また、レンズの光軸を基準とした各主溝の半径位置が段階的に異なると、配列角度も段階的に異なる。このため、接着剤を主溝に注入して各レンズを接着する際に、鏡筒内の接着剤の偏在が抑制され、重心バランスを適正にすることが可能となる。これにより、例えばレンズユニットを手ぶれ補正などのために動作させる際においても、重心バランスよく動作させることが可能である。
【０１２０】
また、各レンズに対応する主溝は、鏡筒の挿入開口側の主溝の開放部を除いて、各々のレンズの外周面とで構成される空間で閉じているため、主溝に接着剤を注入した際に不用意に接着剤が、接着対象のレンズよりも奥側のレンズの方へ漏洩することを防止することが可能となり、接着対象のレンズ以外に不要な影響を与えることを回避できる。
【０１２１】
また、どの主溝も注入される接着剤の量が一定であるため、接着剤を主溝に注入して各レンズを接着する際に、接着剤射出機による射出量を一定にすることが可能となる。
【０１２２】
また、主溝に接着剤を注入する際に接着剤射出機を、特定の一半径位置に固定設置することが可能となる。
【０１２３】
また、すべてのレンズを鏡筒に組み込んだ状態であっても、偏芯を調整するための治具を各々のレンズに接触する部位まで進入させることができ、鏡筒完成状態で一度に各々のレンズの偏芯調整を行うことが可能となる。
【０１２４】
また、鏡筒の最も挿入開口側の主溝のみに接着剤を注入するだけで奥側の主溝に接着剤が流入するため、接着工数または接着剤射出機の台数を削減することが可能となる。
【０１２５】
また、連通溝と主溝の底面との間に確実に段差が設けられることにより、主溝の領域に確実に接着剤を停留させることが可能となり、接着不良を回避できる。
【０１２６】
また、連通溝と主溝の底面との間に確実に段差が設けられてさらに停留する接着剤の量を一定にすることが可能であるため、接着強度をあらゆる接着箇所で均一にすることが可能となる。これにより、レンズおよび鏡筒に加わる力が均等となるため、部材に偏った歪み等が発生することを回避できる。
【産業上の利用可能性】
【０１２７】
本発明のレンズユニットは、種々の光学系を備えた映像機器に適用可能であり、種々の用途に用いられるデジタルスチルカメラやデジタルビデオカメラのどに好適に用いることができる。
【符号の説明】
【０１２８】
１、１０１、１５１    鏡筒
１Ａ    第２開口
１Ｂ    第１開口
１１Ｒ    第１内側面部
１２Ｒ    第２内側面部
１３Ｒ    第３内側面部
１４Ｒ    第４内側面部
１１Ａ    第１Ａ主溝
１１Ｂ    第１Ｂ主溝
１１Ｃ    第１Ｃ主溝
１２Ａ    第２Ａ主溝
１２Ｂ    第２Ｂ主溝
１２Ｃ    第２Ｃ主溝
１３Ａ    第３Ａ主溝
１３Ｂ    第３Ｂ主溝
１３Ｃ    第３Ｃ主溝
１４Ａ    第４Ａ主溝
１４Ｂ    第４Ｂ主溝
１４Ｃ    第４Ｃ主溝
１１ＥＡ、１１ＥＢ、１１ＥＣ    端部
１２ＥＡ、１２ＥＢ、１２ＥＣ    端部
１３ＥＡ、１３ＥＢ、１３ＥＣ    端部
１４ＥＡ、１４ＥＢ、１４ＥＣ    端部
１１Ｓ、１１Ｓ’    第１フランジ面
１２Ｓ、１２Ｓ’    第２フランジ面
１３Ｓ、１３Ｓ’    第３フランジ面
１４Ｓ、１４Ｓ’    第４フランジ面
２１    第１レンズ
２２    第２レンズ
２３    第３レンズ
２４    第４レンズ
２１Ｓ、２２Ｓ、２３Ｓ、２４Ｓ    突き当て面
２１Ｔ、２２Ｔ、２３Ｔ、２４Ｔ    突き当て面
２０１、２０２、２０３、２０４    レンズユニット
１１１Ａ    第１Ａ主溝
１１１Ｂ    第１Ｂ主溝
１１１Ｃ    第１Ｃ主溝
１１２Ａ    第２Ａ主溝
１１２Ｂ    第２Ｂ主溝
１１２Ｃ    第２Ｃ主溝
１１３Ａ    第３Ａ主溝
１１３Ｂ    第３Ｂ主溝
１１３Ｃ    第３Ｃ主溝
１１４Ａ    第４Ａ主溝
１１４Ｂ    第４Ｂ主溝
１１４Ｃ    第４Ｃ主溝
Ｊ１    第１調整治具
Ｊ２    第２調整治具
Ｊ３    第３調整治具
Ｊ４    第４調整治具
５１    第１三方調整治具
５２    第２三方調整治具
５３    第３三方調整治具
５４    第４三方調整治具
５１Ａ    第１透過穴
５２Ａ    第２透過穴
５３Ａ    第３透過穴
５４Ａ    第４透過穴
５１１Ａ    第１Ａ爪部
５１１Ｂ    第１Ｂ爪部
５１１Ｃ    第１Ｃ爪部
５１２Ａ    第１Ａ操作部
５１２Ｂ    第１Ｂ操作部
５１２Ｃ    第１Ｃ操作部
５２１Ａ    第２Ａ爪部
５２１Ｂ    第２Ｂ爪部
５２１Ｃ    第２Ｃ爪部
５２２Ａ    第２Ａ操作部
５２２Ｂ    第２Ｂ操作部
５２２Ｃ    第２Ｃ操作部
５３１Ａ    第３Ａ爪部
５３１Ｂ    第３Ｂ爪部
５３１Ｃ    第３Ｃ爪部
５３２Ａ    第３Ａ操作部
５３２Ｂ    第３Ｂ操作部
５３２Ｃ    第３Ｃ操作部
５４１Ａ    第４Ａ爪部
５４１Ｂ    第４Ｂ爪部
５４１Ｃ    第４Ｃ爪部
５４２Ａ    第４Ａ操作部
５４２Ｂ    第４Ｂ操作部
５４２Ｃ    第４Ｃ操作部
３０１    接着剤射出機
３０２    紫外線照射器
２００Ｆ    第１位置
２００Ｓ    第２位置
４１２    第１連通溝
４２３    第２連通溝
４３４    第３連通溝
【手続補正２】
【補正対象書類名】特許請求の範囲
【補正対象項目名】全文
【補正方法】変更
【補正の内容】
【特許請求の範囲】
【請求項１】
第１開口および第２開口と、前記第１開口および前記第２開口に挟まれており、中心軸に沿った内空間とを有する鏡筒と、
前記内空間に収納された複数のレンズと、
を備えたレンズユニットであって、
前記複数のレンズのうちの各隣接する２つのレンズにおいて、光軸と平行な投影形状は前記第２開口側に位置するレンズの方が前記第１開口側に位置するレンズよりも大きく、
前記鏡筒は、前記中心軸と平行であり、前記複数のレンズのそれぞれの投影形状に対応した断面を規定する複数の内側面部を有し、前記複数の内側面部のうちの各隣接する２つの内側面部の断面は、前記第２開口側に位置する内側面の方が前記第１開口側に位置する内側面よりも大きく、
前記鏡筒は、前記複数の内側面部のそれぞれに設けられ、前記第１開口から前記第２開口に向かって延びる複数の主溝を有し、
前記複数のレンズのそれぞれは、対応する内側面部に設けられた複数の主溝の少なくとも一部充填された接着剤によって前記対応する内側面部に固定されており、
前記各内側面部の前記複数の主溝の前記中心軸に対する方位は、他の内側面部の前記複数の主溝の前記中心軸に対する方位と異なっているレンズユニット。
【請求項２】
前記鏡筒は、前記複数のレンズのうち、最も前記第１開口側に配置されたレンズと当接し、光軸方向の位置決めをする位置決め面を有し、
前記複数のレンズは、互いに隣接するレンズと前記光軸方向に当接し、前記中心軸と平行な方向における位置決めがなされている請求項１に記載のレンズユニット。
【請求項３】
前記鏡筒は、複数の当接部を有し、前記複数の当接部のそれぞれは、前記複数のレンズのうちの対応する１つと当接し、前記対応するレンズの前記中心軸と平行な方向における位置決めをする請求項１に記載のレンズユニット。
【請求項４】
前記鏡筒は外側面を有し、
前記各内側面部に設けられた前記複数の主溝は、前記外側面に貫通していない、請求項２または３に記載のレンズユニット。
【請求項５】
前記各内側面部において、前記複数の主溝は前記中心軸の周りに等方位間隔で配置されている請求項２または３に記載のレンズユニット。
【請求項６】
前記複数の内側面部はそれぞれ同数の前記複数の前記主溝を有し、
各内側面部の前記複数の主溝の前記中心軸に対する方位は、第１開口側から第２開口側にかけて順に、前記中心軸に対して一方向にシフトしている請求項５に記載のレンズユニット。
【請求項７】
各内側面に設けられた前記複数の主溝のそれぞれの前記第１開口側の端部は、前記鏡筒の前記中心軸方向において、対応するレンズの２つの突き当て面の間に位置している請求項１から６のいずれかに記載のレンズユニット。
【請求項８】
前記各レンズの側面に隣接し、前記各内側面部に設けられた前記複数の主溝によって形成される空間の容積はいずれも互いにほぼ等しい請求項１から７のいずれかに記載のレンズユニット。
【請求項９】
前記各内側面部の前記複数の主溝の底部から前記鏡筒の中心軸までの距離はいずれも互いに等しい請求項１から８のいずれかに記載のレンズユニット。
【請求項１０】
前記複数の内側面部は、隣接する２つの主溝を連通させる少なくとも１つの連通溝を備える、請求項１から９のいずれかに記載のレンズユニット。
【請求項１１】
前記各連通溝は、前記連通溝が接続する２つの主溝の第１開口側の端部よりも第２開口側に位置している請求項１０に記載のレンズユニット。
【請求項１２】
前記各レンズの側面に隣接し、前記各内側面部に設けられた少なくとも１つの主溝によって形成され、前記連通溝よりも第１開口側に形成される空間の容積はいずれも互いにほぼ等しい請求項１１に記載のレンズユニット。
【請求項１３】
請求項１から１２のいずれかに記載のレンズユニットと、
撮像領域を有し、前記レンズユニットによって前記撮像領域に形成された像を電気信号に変換する撮像部と、
前記撮像部から前記電子信号を受け取り、前記像の画像データを生成する画像処理部と、
を備えたカメラ装置。
【手続補正３】
【補正対象書類名】図面
【補正対象項目名】全図
【補正方法】変更
【補正の内容】
【図１】
2010116687.tif 000040
【図２Ａ】
2010116687.tif 000041
【図２Ｂ】
2010116687.tif 000042
【図３Ａ】
2010116687.tif 000043
【図３Ｂ】
2010116687.tif 000044
【図４Ａ】
2010116687.tif 000045
【図４Ｂ】
2010116687.tif 000046
【図５Ａ】
2010116687.tif 000047
【図５Ｂ】
2010116687.tif 000048
【図６Ａ】
2010116687.tif 000049
【図６Ｂ】
2010116687.tif 000050
【図７】
2010116687.tif 000051
【図８Ａ】
2010116687.tif 000052
【図８Ｂ】
2010116687.tif 000053
【図９Ａ】
2010116687.tif 000054
【図９Ｂ】
2010116687.tif 000055
【図１０】
2010116687.tif 000056
【図１１Ａ】
2010116687.tif 000057
【図１１Ｂ】
2010116687.tif 000058
【図１２】
2010116687.tif 000059
【図１３Ａ】
2010116687.tif 000060
【図１３Ｂ】
2010116687.tif 000061
【図１４Ａ】
2010116687.tif 000062
【図１４Ｂ】
2010116687.tif 000063
【図１５】
2010116687.tif 000064
【図１６】
2010116687.tif 000065
【図１７】
2010116687.tif 000066
【図１８Ａ】
2010116687.tif 000067
【図１８Ｂ】
2010116687.tif 000068
【図１９】
2010116687.tif 000069
【図２０】
2010116687.tif 000070
【図２１】
2010116687.tif 000071
【図２２Ａ】
2010116687.tif 000072
【図２２Ｂ】
2010116687.tif 000073
【図２２Ｃ】
2010116687.tif 000074
【図２３】
2010116687.tif 000075
【図２４】
2010116687.tif 000076
【国際調査報告】
2010116687.tif 000077
2010116687.tif 000078
2010116687.tif 000079
2010116687.tif 000080